(57)【特許請求の範囲】
【請求項１】
プライマリ無線周波数（RF）チェーンと、
セカンダリ受信機チェーンを含むセカンダリRFチェーンと、
前記プライマリRFチェーンを使用した無線データ通信を管理するための、少なくとも一部がハードウェアであるロジックであり、測定ギャップ長（MGL）、測定ギャップ繰り返し周期（MGRP）及び測定ギャップオフセットに基づいて無線ネットワーク測定を実行するように前記セカンダリ受信機チェーンを構成し、前記MGRPは120msを含み、前記MGLは16ms又は31msを含むロジックと
を含むユーザ装置（UE）。
【請求項２】
前記ロジックは、無線ネットワークがキャリアアグリゲーションをサポートしないと決定し、無線ネットワーク測定を実行するように前記セカンダリ受信機チェーンを構成する、請求項１に記載のUE。
【請求項３】
前記無線ネットワーク測定は、周波数間測定を含む、請求項１に記載のUE。
【請求項４】
前記無線ネットワーク測定は、無線アクセス技術（RAT）間測定を含む、請求項１に記載のUE。
【請求項５】
前記無線ネットワーク測定は、受信信号強度を決定することを含む、請求項１に記載のUE。
【請求項６】
前記無線ネットワーク測定は、受信信号品質を決定することを含む、請求項１に記載のUE。
【請求項７】
前記無線ネットワーク測定は、前記受信信号品質の変動を決定することを含む、請求項６に記載のUE。
【請求項８】
前記UEは、キャリアアグリゲーション可能なUEである、請求項１に記載のUE。
【請求項９】
前記ロジックは、前記無線ネットワーク測定を実行するような前記セカンダリ受信機チェーンの構成に基づいて前記プライマリRFチェーンの動作を調整する、請求項１に記載のUE。
【請求項１０】
前記セカンダリ受信機チェーンは、帯域通過フィルタ、低雑音増幅器、ミキサ、チューナ、及びアナログ・デジタル変換器のうち少なくとも１つを含む、請求項１に記載のUE。
【請求項１１】
プライマリ無線周波数（RF）チェーンを第１のキャリア周波数に同調させることと、
第１のRFチェーンを使用してデータ通信を提供することと、
無線ネットワークがキャリアアグリゲーションを提供しないと決定することと、
測定ギャップ長（MGL）、測定ギャップ繰り返し周期（MGRP）及び測定ギャップオフセットに基づいて無線ネットワーク測定を実行するようにセカンダリRFチェーンのセカンダリ受信機を構成することであり、前記MGRPは120msを含み、前記MGLは16ms又は31msを含むことと
を含む方法。
【請求項１２】
eNB（evolved  node  B）から受信した１つ以上のメッセージに基づいて前記MGL、前記MGRP及び前記測定ギャップオフセットを決定することを更に含む、請求項１１に記載の方法。
【請求項１３】
データ通信を提供することは、前記プライマリRFチェーンを使用してRF通信を送信及び受信することを更に含む、請求項１１に記載の方法。
【請求項１４】
前記セカンダリRFチェーンの前記構成に基づいて前記プライマリRFチェーンの動作を調整することを更に含む、請求項１１に記載の方法。
【請求項１５】
周波数間測定を実行することを更に含む、請求項１１に記載の方法。
【請求項１６】
無線アクセス技術（RAT）間測定を実行することを更に含む、請求項１１に記載の方法。
【請求項１７】
受信信号強度を決定することを更に含む、請求項１１に記載の方法。
【請求項１８】
受信信号品質を決定することを更に含む、請求項１１に記載の方法。
【請求項１９】
前記受信信号品質の変動を決定することを更に含む、請求項１８に記載の方法。
【発明の詳細な説明】
【技術分野】
【０００１】
［関連出願］
この出願は、2014年5月8日に出願された米国仮特許出願第61/990,646号の優先権を主張して2014年12月23日に出願された米国特許出願第14/581,889号の優先権を主張し、これらの全内容を参照により援用する。
【０００２】
［技術分野］
ここでの実施例は、概してブロードバンド通信ネットワーク内のデバイス間の通信及び無線ネットワーク測定の実行に関する。
【背景技術】
【０００３】
E-UTRAN（evolved  Universal  Mobile  Telecommunications  System  Terrestrial  Radio  Access  Network）では、ユーザ装置（UE：user  equipment）は、複数の無線周波数（RF：radio  frequency）チェーンを含む可能性がある。１つ以上のRFチェーンは、アイドルのままになる可能性がある。複数のRFチェーンの効率的な管理は、システムスループット及びUEのユーザの経験を改善することができる。
【図面の簡単な説明】
【０００４】
【図１】第１の動作環境の実施例を示す。
【図２Ａ】第１の装置の実施例を示す。
【図２Ｂ】第２の装置の実施例を示す。
【図３】第２の動作環境の実施例を示す。
【図４】第１のメッセージフローの実施例を示す。
【図５】第２のメッセージフローの実施例を示す。
【図６】例示的な測定パラメータを示す。
【図７】例示的な測定構成を示す。
【図８】第１の装置の実施例及び第１のシステムの実施例を示す。
【図９】第２の装置の実施例及び第２のシステムの実施例を示す。
【図１０】デバイスの実施例を示す。
【図１１】無線ネットワークの実施例を示す。
【発明を実施するための形態】
【０００５】
E-UTRAN（evolved  Universal  Mobile  Telecommunications  System  Terrestrial  Radio  Access  Network）では、ユーザ装置（UE：user  equipment）は、キャリアアグリゲーション（CA：carrier  aggregation）をサポートするために、１つ以上の無線周波数（RF：radio  frequency）チェーンを含んでもよい。しかし、時には、UEは、CAをサポートしない無線ネットワーク内で動作し、プライマリRFチェーンが無線ネットワークとのデータ通信を提供する間に、１つ以上のセカンダリRFチェーンを未使用又は非アクティブにしてもよい。データ通信をもサポートする間に無線ネットワーク測定を実行するためにプライマリRFチェーンを使用することは、システムスループットをかなり低減し、UEのユーザの経験を低下させ得る。
【０００６】
様々な実施例は、UEの複数のRFチェーンの効率的な管理を提供する。様々な実施例は、一般的に、セカンダリRFチェーンがデータ通信に使用されないときに無線ネットワーク測定を実行するように、モバイルデバイスのセカンダリRFチェーン、特にセカンダリ受信機チェーンを構成するための技術を対象としてもよい。様々な実施例は、無線ネットワークとのデータ通信を提供するためのプライマリRFチェーンと、無線ネットワークとのアグリゲーションされたデータ通信を提供することができるためのセカンダリRFチェーンとを提供する。様々な実施例は、無線ネットワークがキャリアアグリゲーションをサポートしないと決定し、無線ネットワーク測定を実行するために、そうでなければ未使用又は非アクティブにされるセカンダリ受信機チェーンを再構成するためのモバイルデバイスを提供する。システムスループットは、無線ネットワーク測定を実行するためにプライマリRFチェーンを使用することに比べて改善され得る。
【０００７】
様々な実施例は、１つ以上のエレメントを含んでもよい。エレメントは、特定の動作を実行するように構成されたいずれかの構造を含んでもよい。各エレメントは、所与の一式の設計パラメータ又は性能上の制約の要求通りに、ハードウェア、ソフトウェア、又はこれらのいずれかの組み合わせとして実装されてもよい。実施例は、一例により特定のトポロジにおける限られた数のエレメントを用いて記載され得るが、別のトポロジでは、実施例は、所与の実装の要求通りに、より多くのエレメント又はより少ないエレメントを含んでもよい。“一実施例”又は“実施例”へのいずれかの言及は、実施例に関して記載する特定の機能、構造又は特徴が少なくとも１つの実施例に含まれることを意味することに留意することは価値がある。明細書の様々な場所に“一実施例では”、“或る実施例では”及び“様々な実施例では”という語句が現れることは、必ずしも全て同じ実施例を示しているとは限らない。
【０００８】
ここに開示される技術は、１つ以上の無線モバイルブロードバンド技術を使用した１つ以上の無線接続上でのデータの送信に関与してもよい。例えば、様々な実施例は、以下の改訂、後継及び変形を含み、１つ以上の3GPP（3rd  Generation  Partnership  Project）、3GPP  LTE（Long  Term  Evolution）及び／又は3GPP  LTE-A（LTE-Advanced）技術及び標準に関与してもよい。さらに又は或いは、様々な実施例は、以下の改訂、後継及び変形を含み、１つ以上のGSM（Global  System  for  Mobile  Communications）／EDGE（Enhanced  Data  Rates  for  GSM  Evolution）、UMTS（Universal  Mobile  Telecommunications  System）／HSPA（High  Speed  Packet  Access）及び／又はGSM／GPRS（GSM  with  General  Packet  Radio  Service  (GPRS)システム）技術及び／又は標準に関与してもよい。
【０００９】
無線ブロードバンド技術及び／又は標準の例はまた、限定することなく、以下の改訂、後継及び変形を含み、IEEE802.16m及び／又は802.16pのようなIEEE（Institute  of  Electrical  and  Electronics  Engineers）802.16無線ブロードバンド標準、IMT-ADV（International  Mobile  Telecommunications  Advanced）、WiMAX（Worldwide  Interoperability  for  Microwave  Access）及び／又はWiMAX  II、CDMA（Code  Division  Multiple  Access）2000（例えば、CDMA2000  1xRTT、CDMA2000  EV-DO、CDMA  EV-DV等）、HIPERMAN（High  Performance  Radio  Metropolitan  Area  Network）、WiBro（Wireless  Broadband）、HSDPA（High  Speed  Downlink  Packet  Access）、HSOPA（High  Speed  Orthogonal  Frequency-Division  Multiplexing  (OFDM)  Packet  Access）、HSUPA（High-Speed  Uplink  Packet  Access）、HSPA（High  Speed  Packet  Access）技術及び／又は標準をも含んでもよい。
【００１０】
さらに又は或いは、或る実施例は、他の無線通信技術及び／又は標準に従った無線通信に関与してもよい。様々な実施例で使用されてもよい他の無線通信技術及び／又は標準の例は、限定することなく、以下の改訂、後継及び／又は変形を含み、IEEE802.11、IEEE802.11a、IEEE802.11b、IEEE802.11g、IEEE802.11n、IEEE802.11u、IEEE802.11ac、IEEE802.11ad、IEEE802.11af及び／又はIEEE802.11ah標準のような他のIEEE無線通信標準、IEEE802.11HEW（High  Efficiency  Wireless  Local  Area  Network  (WLAN)）研究グループにより開発されたHi-Efficiency  Wi-Fi標準、Wi-Fi、Wi-Fi  Direct、Wi-Fi  Direct  Services、WiGig（Wireless  Gigabit）、WDE（WiGig  Display  Extension）、WBE（WiGig  Bus  Extension）、WSE（WiGig  Serial  Extension）標準及び／又はWFA  NAN（Neighbor  Awareness  Networking）タスクグループにより開発された標準のようなWFA（Wi-Fi  Alliance）無線通信標準、3GPP  TR（Technical  Report）23.887、3GPP  TS（Technical  Specification）22.368及び／又は3GPP  TS  23.682に具現されたもののようなMTC（machine-type  communications）標準、及び／又はNFCフォーラムにより開発された標準のようなNFC（near-field  communication）標準を含んでもよい。実施例は、これらの例に限定されない。
【００１１】
１つ以上の無線接続上での送信に加えて、ここに開示する技術は、１つ以上の有線通信媒体を通じた１つ以上の有線接続上でのコンテンツの送信に関与してもよい。有線通信媒体の例は、ワイヤ、ケーブル、金属リード、印刷回路基板（PCB：printed  circuit  board）、バックプレーン、スイッチファブリック、半導体材料、ツイストペアワイヤ、同軸ケーブル、光ファイバ等を含んでもよい。実施例は、この点に限定されない。
【００１２】
図１は、或る実施例を表してもよいような動作環境100を示す。動作環境100は、モバイルデバイス102と、第１のセルラ基地局104と、第２のセルラ基地局106とを含むことができる。モバイルデバイス102は、第１の無線通信インタフェース上で第１の基地局104と通信することができ、第２の無線通信インタフェース110上で第２の基地局106と通信することができる。
【００１３】
モバイルデバイス102は、スマートフォン、タブレット、ラップトップ、ネットブック、又は１つ以上の無線通信ネットワークと無線で通信することができる他のモバイルコンピューティングデバイスでもよい。一例として、モバイルデバイス102は、ユーザ装置（UE：user  equipment）でもよい。第１の基地局104は、例えば、eNB（evolved  node  B）でもよい。第２の基地局106は、例えば、eNB（evolved  node  B）でもよい。第１の基地局104は、第１のセル112内で通信を提供することができる。第２の基地局106は、第２のセル114内で通信を提供することができる。
【００１４】
無線通信インタフェース108は、例えば、3GPP無線ネットワークインタフェース及び／又はLTEネットワークインタフェースでもよい。無線通信インタフェース110は、例えば、3GPP無線ネットワークインタフェース及び／又はLTEネットワークインタフェースでもよい。様々な実施例では、モバイルデバイス102は、実質的に同時に基地局104及び基地局106と通信することができる。一例として、図１に示すように、モバイルデバイス102は、第１のセル112及び第２のセル114内に存在又は位置することができる。基地局104及び106並びにモバイルデバイス102は、無線通信インタフェース104及び106上で音声、データ及び／又は制御データ若しくは情報を送信及び受信することができる。基地局104及び106のそれぞれと通信することにより、モバイルデバイス102は、基地局104又は106の１つのみと通信することにより利用可能な帯域幅と比べて、大きい結合した帯域幅上で通信することができる。その結果、モバイルデバイス102は、増加したレートで通信することができ、これにより、モバイルデバイス102の性能及びモバイルデバイス102のユーザの経験を向上させることができる。
【００１５】
様々な実施例では、モバイルデバイス102は、第１のキャリア周波数及び／又は第１の周波数範囲上で基地局104と通信することができ、第２のキャリア周波数及び／又は第２の周波数範囲上で基地局106と通信することができる。干渉を回避及び／又は最小化するために、第１のキャリアの周波数及び第２のキャリアの周波数は、異なってもよい。第１の周波数範囲は、第２の周波数範囲と異なってもよい。例えば、第１及び第２の周波数範囲は、重複しない周波数範囲でもよい。
【００１６】
様々な実施例では、モバイルデバイス102は、第１のキャリア周波数を使用してプライマリサービングセル（Pcell：primary  serving  cell）として動作するeNB104と通信することができ、第２のキャリア周波数を使用してセカンダリサービングセル（Scell：secondary  serving  cell）として動作するeNB106と通信することができるキャリアアグリゲーション（CA：carrier  aggregation）可能なUEでもよい。CA可能なUE102は、通信帯域幅を拡張するために、第１及び第２のキャリア上での通信を結合又はアグリゲーションすることができる。第１及び第２のキャリアは、コンポーネントキャリアとして動作することができる。Pcell  eNB104は、プライマリコンポーネントキャリア上でUE102との通信を提供することができ、Scell  eNB106は、セカンダリコンポーネントキャリア上でUE102との通信を提供することができる。UE102は、１つのScellからのコンポーネントキャリアをアグリゲーションすることに限定されない。その代わりに、UE102は、Pcellからのキャリアと共に複数のSCell（図１には図示せず）からの複数のキャリアをアグリゲーションすることができる。例示のみの目的で、様々な実施例は、２つの基地局（すなわち、基地局104及び106）とのUE102の通信に関して記載されるが、このような実施例はこれに限定されない。
【００１７】
CA可能なUE102並びにeNB104及び106は、プライマリ及びセカンダリコンポーネントキャリアの動作周波数により決定され得る複数のCAモードのうちいずれか１つに従って動作することができる。第１の例として、帯域内連続CAモード（intraband  contiguous  CA  mode）では、プライマリコンポーネントキャリア及びセカンダリコンポーネントキャリアは、同じ動作周波数帯域内の隣接するキャリア（例えば、隣接する利用可能なキャリア周波数）でもよい。第２の例として、帯域内不連続CAモード（intraband  non-contiguous  CA  mode）では、プライマリコンポーネントキャリア及びセカンダリコンポーネントキャリアは、同じ動作周波数帯域内の隣接しないキャリア（例えば、隣接しない利用可能なキャリア周波数）でもよい。第３の例として、帯域間モード（interband  mode）では、プライマリコンポーネントキャリア及びセカンダリコンポーネントキャリアは、異なる動作周波数帯域内のキャリアでもよい。
【００１８】
CA可能なUE102は、様々なCAモードでeNB104及び106と通信するように設計及び動作されることができる。これを行うために、様々な実施例では、CA可能なUE102は、１つ以上の無線周波数（RF：radio  frequency）チェーン又はフロントエンドを含むことができる。各RFフロントエンドは、特定のeNBと（例えば、eNBのキャリアの特定の周波数に基づいて）通信するように構成される（例えば、同調する）ことができる。各RFフロントエンドは、送信機及び受信機パスを含むことができる。
【００１９】
図１に示すように、CA可能なUE102は、２つのeNB104及び106と通信するが、これに限定されない。前述のように、CA可能なUE102は、更なる帯域幅のアグリゲーションを実現するためのCAを容易にするために、いずれかの数のeNBと通信することができる。更なるeNBは、更なるセカンダリコンポーネントキャリアを使用してCA可能なUE102と通信することができる。したがって、様々な実施例では、CA可能なUE102は、コンポーネントキャリア／eNB毎にRFフロントエンドを含んでもよい。図１に示す動作環境100は、CA構成された動作環境であると考えられることができる。具体的には、UE102並びにeNB104及び106は、UE102によるCAをサポートすることができる。
【００２０】
図２Ａは、或る実施例を表してもよいようなモバイルデバイスのRFフロントエンド200を示す。RFフロントエンド200は、図１に示すモバイルデバイス102により実装されることができる。RFフロントエンド200は、アンテナ202と、第１のRFチェーン204と、第２のRFチェーン206と、ベースバンド処理ユニット208とを含むことができる。第１のRFチェーン204は、受信機又は受信機チェーン204-1と、送信機又は送信機チェーン204-2とを含むことができる。第２のRFチェーン206は、受信機又は受信機チェーン206-1と、送信機又は送信機チェーン206-2とを含むことができる。様々な実施例では、RFチェーン204及び206は、単一の集積回路に実装されることができる。
【００２１】
第１のRFチェーン204は、第１のキャリア周波数又は第１の周波数範囲上での通信を提供するように構成及び／又は動作されることができる。一例として、第１のRFチェーン204は、第１のキャリア及び／又は第１のキャリア周波数又は周波数範囲に同調させることができる。第２のRFチェーン204は、第２のキャリア周波数又は第１の周波数範囲上での通信を提供するように構成及び／又は動作されることができる。一例として、第２のRFチェーン206は、第１のキャリア及び／又は第２のキャリア周波数又は周波数範囲に同調させることができる。様々な実施例では、Rxチェーン204-1及びTxチェーン204-2は、Pcell  eNBからのプライマリコンポーネントキャリア（例えば、図１に示すeNB104のプライマリコンポーネントキャリア）と通信するように構成又は同調することができ、Rxチェーン206-1及びTxチェーン206-2は、Scell  eNBからのセカンダリコンポーネントキャリア（例えば、図１に示すeNB106のセカンダリコンポーネントキャリア）と通信するように構成又は同調することができる。
【００２２】
RFフロントエンド200は、アンテナ202を通じてRF通信及び／又は信号を送信及び受信することができる。RFチェーン204-1及び206-1は、RF通信を受信及び処理することができる。一例として、RFチェーン204-1及び206-1は、他の動作の中でも、受信したRF通信及び／又は信号をベースバンド周波数通信に変換し、及び／又は更なる処理又は操作のためにベースバンド処理ユニット208に提供され得る信号を変換することができる。このように、RFチェーン204-1及び206-1は、個々の構成又は同調に対応する１つ以上の異なるRFキャリア周波数からのダウンコンバージョンを提供することができる。
【００２３】
Txチェーン204-2及び206-2は、RF通信を処理及び送信することができる。一例として、Txチェーン204-2及び206-2は、他の動作の中でも、ベースバンド処理ユニット208からのベースバンド通信及び／又は信号をRF周波数に変換することができる。このように、Txチェーン204-2及び206-2は、個々の構成又は同調に対応する１つ以上の異なるRFキャリア周波数へのアップコンバージョンを提供することができる。
【００２４】
同様に、様々な実施例では、Rxチェーン204-1及びTxチェーン204-2は、第１のキャリア周波数に従って同調又は動作することができ、Rxチェーン204-1及びTxチェーン204-2は、第２のキャリア周波数に従って同調又は動作することができ、第１及び第２のキャリア周波数は、異なるか或いは別個であり、異なる周波数範囲又は別個の周波数範囲上での通信を提供する。様々な実施例では、RFチェーン204は、Pcellと通信するように構成及び／又は動作されるため、プライマリRFチェーン（プライマリRxチェーン204-1及びプライマリTxチェーン204-2）であると考えられることができる。無線ネットワークとのデータ通信は、プライマリRFチェーン204を動作させることにより提供されることができる。RFチェーンは、Scellと通信するように構成及び／又は動作されるため、セカンダリRFチェーン（セカンダリRxチェーン206-1及びセカンダリTxチェーン206-2）であると考えられることができる。明瞭性の目的で図２Ａに示さないが、プライマリRFチェーン204以外のいずれか更なるRFチェーンは、更なるセカンダリRFチェーンであると考えられる。
【００２５】
第１及び第２のRFチェーン204及び206、及びこれらに含まれるいずれかの構成要素、並びにベースバンド処理ユニット208は、ハードウェア若しくはソフトウェア又はこれらのいずれかの組み合わせで実装されることができる。一例として、第１及び第２のRFチェーン204及び206、及びこれらに含まれるいずれかの構成要素、並びにベースバンド処理ユニット208のうち１つ以上は、１つ以上のRF周波数及び１つ以上のベースバンド周波数の間の通信を容易にするロジック、回路又は命令を含んでもよい。さらに、第１及び第２のRFチェーン204及び206の構成要素は、第１及び第２のRFチェーン204及び206の間で共有されてもよい。例示的な例として、ロジック、ハードウェア、ソフトウェア及び／又は命令、及びこれらのいずれかの組み合わせでもよいRxチェーン204-1の１つ以上の構成要素は、Txチェーン204-2又はRxチェーン206-1若しくはTxチェーン206-2と共有されることができる。
【００２６】
図２Ｂは、或る実施例を表してもよいような受信機及び／又は受信機チェーン206-1の例示的な構成要素を示す。図２Ｂは、Rxチェーン206-1が図２Ｂに示すより多い構成要素又は少ない構成要素を含んでもよい点で例示である。図２Ｂに示すように、Rxチェーン206-1は、帯域通過フィルタ（BPF：bandpass  filter）210と、低雑音増幅器（LNA：low  noise  amplifier）212と、ミキサ214と、チューナ216と、ADC218とを含むことができる。Rxチェーン206-1は、例えば、検出器及び／又は復調器のような更なる構成要素を含むことができる。
【００２７】
BPF210は、例えば、図２Ａに示すアンテナ202のようなアンテナに結合されることができる。BPF210は、アンテナ202からのRF通信又は信号を受信することができる。BPF210は、帯域通過フィルタリングされたRF信号をLNA212に提供することができる。LNA212は、BPF210から受信した信号を増幅することができる。LNA212は、増幅されたRF信号をミキサ214に提供することができる。ミキサ214は、LNA212から受信したRF信号をダウンコンバートすることができる。ミキサ214は、チューナ216により提供された参照信号又は同調信号に基づいて信号をダウンコンバートすることができる。チューナ216は、ミキサ214に提供される参照信号の周波数を調整するように制御されることができる。一例として、チューナ216は、図１に示すeNB106により提供されるコンポーネントキャリア信号の周波数と実質的に同じ周波数を有する参照信号を提供するように制御されることができる。
【００２８】
ミキサ214は、LNA212から受信したRF信号をベースバンド周波数に変換することができる。ミキサ218からのベースバンド信号は、アナログ・デジタル変換器（ADC：analog-to-digital  converter）218に提供されることができる。ADC218は、ミキサ214により提供されたアナログベースバンド信号をデジタル信号に変換することができる。ADC218からのデジタル信号は、例えば、図２Ａに示すベースバンド処理ユニット208のようなベースバンドプロセッサに提供されることができる。或る実施例では、ADC218及び／又はその機能は、ベースバンド処理ユニット208により提供されることができる。
【００２９】
図２Ｂに示すRxチェーン206-1の構成要素は、ハードウェア若しくはソフトウェア又はこれらのいずれかの組み合わせで実装されることができる。一例として、図２Ｂに示すRxチェーン206-1の構成要素のうち１つ以上は、モバイルデバイス（例えば、図１に示すモバイルデバイス102）のためのRF通信の受信、及び更なる処理のための受信したRF通信のベースバンドへの変換を容易にするロジック、回路又は命令を含んでもよい。図２Ｂに示すRxチェーン206-1は、Scellと通信するように構成及び／又は動作されることができ、Scellのセカンダリコンポーネントキャリアの周波数に同調することができるため、セカンダリRxチェーンであると考えられることができる。
【００３０】
図２Ｂに示すRxチェーン206-1は、チューナ216の周波数同調に基づいて特定のキャリア周波数及び／又は周波数範囲上でのRF通信を受信するように実装されることができる。RF通信は、チューナ216の同調を調整することにより（例えば、チューナ216により提供される参照RF周波数信号の周波数を調整することにより）、異なるキャリア周波数及び／又は周波数範囲上で受信されることができる。このように、Rxチェーン206-1は、特定のRFキャリア周波数又はRF周波数範囲に同調すると考えられることができる。一例として、Rxチェーン206-1は、図１に示すeNB106のような特定の基地局のRFキャリア周波数又はRF周波数範囲に同調することができる。その結果、Rxチェーンは、eNB106からのRF信号又は通信の受信を提供することができる。
【００３１】
同様に、Rxチェーン204-1は、同様の構成要素を含むように構成されることができ、チューナは、異なるRFキャリア周波数又はRF周波数範囲（例えば、図１に示すeNB104のRFキャリア周波数又はRF周波数範囲）に同調する。その結果、Rxチェーン204-1及び206-1は、同時に２つの異なる基地局からのRF信号又は通信の受信を提供し、これにより、CAを提供することができる。例えば、Rxチェーン204-1は、eNB104に関連するプライマリキャリアコンポーネントからのRF通信を受信することができ、Rxチェーン206-1は、eNB106に関連するセカンダリキャリアコンポーネントからのRF通信を受信することができる。
【００３２】
図３は、或る実施例を表してもよいような動作環境300を示す。動作環境100と同様に、動作環境300は、モバイルデバイス102（例えば、UE102）と、第１のセルラ基地局104（例えば、eNB104）と、第２のセルラ基地局106（例えば、eNB106）とを含むことができる。動作環境100とは対照的に、動作環境300は、CA可能なUE102がeNB104及びeNB106とCAを使用して同時に通信することができないようなものでもよい。一例として、少なくともeNB104及びeNB106で構成される、動作環境300に示す無線ネットワークインフラストラクチャは、CA可能なUE102とCA通信を提供しないように構成されることができる。したがって、CA可能なUE102は、例えば、図２Ａに示すRFチェーン204を使用してeNB104と無線通信インタフェース108上で通信することができる。様々な実施例では、その結果、RFチェーン206並びにその構成要素のRxチェーン206-1及びTxチェーン206-2は、未使用及び／又は非動作でもよい。UE102は、CA動作を行うことができるが、動作環境300は、UE102がこれを行うことができないネットワーク動作環境を表す（例えば、ネットワーク制限のため、CAをサポートしないようなオペレータによる構成選択のため、Scell停止のため、或いはScellが構成されていないため）。
【００３３】
ここに記載する技術は、セカンダリコンポーネントキャリア及び／又はセカンダリ周波数範囲に同調することができるRFチェーンがCAの実装に関して未使用又は非動作である場合、UE102のようなCA可能なUEがセカンダリRFチェーン206のようなRFチェーンを使用し、無線ネットワーク性能測定を実行することを可能にする。様々な実施例では、そうでなければCAをサポートするために使用され得るRxチェーン、例えば、図２Ａ及び２Ｂに示すRxチェーン206-1は、無線ネットワークに関する測定を実行するために再構成及び／又は使用されることができる。Rxチェーン206-1は、ネットワークがCAをサポートしないという決定の後に（例えば、セカンダリキャリアがCAを提供することができないという決定の後に）再構成されることができる。このRxチェーンは、無線ネットワークによりサポートされるCA及び／又はScellが構成された場合に無線ネットワークのScellと通信するために使用され得るRxチェーンでもよい。
【００３４】
ここに記載する技術は、未使用のセカンダリRFチェーンを使用して無線ネットワーク測定を実装する。無線ネットワーク測定は、周波数間測定及び無線アクセス技術（RAT：radio  access  technology）間測定を含むことができる。周波数間測定は、UEにより維持されるアクティブセットの周波数と異なる周波数であるが、同じRAT内での下りリンク物理チャネル上の測定を含むことができる。RAT間測定は、UEにより使用されるプライマリ無線アクセス技術以外の無線アクセス技術に属する下りリンク物理チャネル上の測定を含むことができる。例えば、UEのプライマリ無線アクセス技術は、E-UTRAN（evolved  Universal  Mobile  Telecommunications  System  Terrestrial  Radio  Access  Network）でもよく、RAT間測定は、GSMネットワーク上で実行されてもよい。各RATはネットワーク品質を定量化するために異なる測定値及びメトリックを規定することができるため、未使用のセカンダリRFチェーンを使用してUEにより実行される測定のタイプは、RATに基づいて変化することができる。しかし、一般的に、周波数間及びRAT間測定は、信号強度（例えば、受信信号強度）及び信号品質（例えば、受信ビット誤り率（BER：bit  error  rate）及び受信信号品質の変化を示す関係する測定）を含むことができる。
【００３５】
ここに記載する技術は、未使用のセカンダリRFチェーンを使用して無線ネットワーク測定を実行することにより、UEのより効率的な動作を提供する。Pcellと通信するように構成及び／又は動作されたRFチェーンの使用は、UEとの下りリンク及び上りリンク上でスループットに悪影響を与え得る。一例として、ネットワーク測定は、プライマリRFチェーンの下りリンクリソースの約15%を必要とし得る。未使用のセカンダリチェンはデータ通信を提供するために構成及び／又は動作されないため、UE及びeNBに関与するシステムスループットへの影響は存在しない。さらに、未使用のセカンダリRFチェーンは、測定のスケジューリング及び構成に更なる柔軟性を提供する。
【００３６】
ここに記載する技術は、モバイルデバイスがネットワーク測定を実行するために使用されることができる１つ以上の未使用又はアイドルの構成要素を含むことを無線ネットワークに示すためのモバイルデバイスを提供する。様々な実施例では、モバイルデバイスはUEでもよい。さらに、様々な実施例では、UEは、UEがネットワーク測定を実行するために使用されることができる受信機若しくは受信機チェーン又はこれらのいずれかの部分を含むことをeNBに示すことができる。受信機若しくは受信機チェーン又はそのいずれかの部分は、無線ネットワークと通信するために使用されることができるが、無線ネットワークがデータ通信のために第２のeNBを提供しない場合（例えば、無線ネットワークがScell及び／又はセカンダリキャリア信号をUEに提供しない場合又は提供するように構成されない場合）、未使用、アイドル及び／又は非アクティブになり得る。様々な実施例では、UEは、CAをサポートしないネットワーク及び／又はデータ通信のために第２のeNBからの第２のコンポーネントキャリアをUEに提供しないネットワークの一部内で動作するCA可能なUEでもよい。したがって、ここに記載する技術によれば、UEは、ネットワーク測定の目的で未使用及び／又は非アクティブのセカンダリコンポーネントを使用する能力を示すことができる。
【００３７】
ここに記載する技術は、ネットワーク測定の実行をネゴシエーション又はプロビジョニングするためのeNB及びUEを提供する。様々な実施例では、eNBがUEにより受け付けられる測定のためのパラメータを提供するまで、UEは、eNBによる提示された測定のプロビジョニングを受け付け又は拒否することができる。さらに、様々な実施例では、UEは、未使用及び／又は非アクティブのセカンダリ受信機及び／又は受信機チェーンを使用してネットワーク測定を実行することができ、無線ネットワークとアクティブに通信する他の含まれる受信機及び／又は受信機チェーンへのいずれかの妨害（例えば、プライマリ受信機又は受信機チェーンの動作への妨害）を決定することができる。
【００３８】
図４は、ここに記載する１つ以上の実施例により実行される動作を表してもよい論理フロー400の一実施例を示す。特に、論理フロー400は、或る実施例においてUE102により実行され得る動作を表してもよい。論理フロー400に示すように、402において、モバイルデバイスは、無線ネットワークに接続することができる。モバイルデバイスはUEでもよい。UEは、eNBと通信することにより、3GPP及び／又はLTEネットワークに接続することができる。UEは、第１のRFチェーン（例えば、プライマリRFチェーン）を使用してeNBと通信することができる。データ通信は、UEとeNBとの間で確立されることができる。第１のRFチェーンは、送信機と受信機とを含むことができる。第１のRFチェーンは、第１のキャリア周波数及び／又は第１の周波数範囲上でeNBと通信するように構成されることができる。UEは、１つ以上の更なるeNBとのデータ通信を確立するために、１つ以上の更なるRFチェーン（例えば、１つ以上のセカンダリRFチェーン）を含むことができる。１つ以上の更なるeNBとの通信は、第１のRFチェーンを使用した第１のeNBとの通信と実質的に同時でもよい。UEはCA可能なUEでもよい。１つ以上の構成要素は、UEのRFチェーンの間で共有されることができる。402において、UEは、Pcellとして動作すると考えられるeNBと通信することができ、プライマリコンポーネントキャリア上の通信を提供することができる。
【００３９】
404において、UEは、無線ネットワークのいずれか更なるeNBが利用可能であるか否かを決定することができる。404において、UEは、１つ以上のセカンダリコンポーネントキャリア及び／又は対応するセカンダリ周波数範囲上で１つ以上の更なるeNBと通信することにより、無線ネットワークとのCA通信が可能であるか否かを決定することができる。404において、UEは、そのセカンダリRFチェーンが１つ以上のeNBとのCA通信を提供するために使用されることができるか否かを決定することができる。この処理の間に、UEは、無線ネットワークがCAをサポートしないと決定することができる。一例として、無線ネットワークは、CA又はScellのために構成されていないことを示すことができる。したがって、UEは、１つ以上のセカンダリRFチェーン又はそのいずれかの部分が無線ネットワークとのCAの実装のために使用及び／又は構成されないと決定することができる。次に、UEは、（eNBを通じた無線ネットワークとの通信に従事するプライマリRFチェーンを使用してネットワーク測定を実行することと対照的に）これらのセカンダリRFチェーンのうち１つ以上又はそのいずれかの部分が無線ネットワーク測定を実行するために使用されることができると更に決定することができる。
【００４０】
406において、UEは、ネットワーク測定を実行するために更なるRFチェーン又はセカンダリRFチェーンを使用する能力を含むことを示すことができる。UEは、動作中の通信をしているeNBとの通信を通じて、ネットワークと通信するために現在使用されていない１つ以上のセカンダリRFチェーンがネットワーク測定のために使用されることができることを無線ネットワークに通知することができる。UEは、CA可能なUEであることを示すことができる。UEは、UEに利用可能なセカンダリRFチェーンの数を示すことができる。eNBは、UEからこれらの指示及び／又はメッセージを受信することができる。
【００４１】
408において、UEのセカンダリRFチェーンを使用してネットワーク測定を実行するためのパラメータが決定されることができる。UE及びeNBは、測定を実行するためのパラメータをネゴシエーションすることができる。様々な実施例では、eNBは、測定を実行するための１つ以上のパラメータと共に１つ以上のメッセージをUEに提供することができる。UEは、eNBからの第１のパラメータを受け付け又は拒否することができる。第１のパラメータがeNBにより拒否されたという通知のときに、eNBは、測定を実行するための第２のパラメータをUEに提供することができる。この場合にも同様に、UEは、eNBからの第２のパラメータを受け付け又は拒否することができる。この処理は、測定のためのパラメータがUEにより受け付け可能であると決定されるまで続けることができる。或いは又はそれに加えて、様々な実施例では、UEは、測定のための提示されたパラメータと共に１つ以上のメッセージをeNBに提供することができる。測定を実行するためのパラメータは、eNB及びUEの双方がパラメータを受け付けた場合、又はUE又はeNBが他のエンティティからの提示されたパラメータを受け付けた場合に決定されることができる。測定のためのパラメータが決定された場合、UEは、測定を実行するために第２のRFチェーン、特に、第２の受信機及び／又は受信機チェーンを構成することができる。様々な実施例では、パラメータは、測定の長さ、どのくらいの頻度で測定が実行されるか、及び／又はどのように測定結果が報告されるかを含むことができる。
【００４２】
410において、測定の実行のための第２のRFチェーンのプロビジョニングに基づいて、UEは、測定が第１又はプライマリRFチェーンの動作に与えるいずれかの影響を決定することができる。UEは、セカンダリRFチェーンを使用してネットワーク測定を実行した結果としてプライマリRFチェーンへのいずれかの妨害を最小化するように、第１のRFチェーンの動作を調整することができる。決定される妨害は、いつ測定が実行されるかに基づいて、いつプライマリRFチェーンの動作が一時的に停止又は一時停止されるか（例えば、受信又は送信動作が中断され得る）を決定することを含むことができる。
【００４３】
412において、UEは、ネットワーク測定を実行することができる。ネットワーク測定は、セカンダリRFチェーン、特に、セカンダリRFチェーンに関連する受信機及び／又は受信機チェーンを使用して実装されることができる。プライマリRFチェーンの動作は、測定の実行の間に管理及び調整されることができる。測定は、周波数間測定及び／又はRAT間測定を含むことができる。UEはまた、UEのプライマリRFチェーンを使用するデータ通信リンク上で測定の結果をeNBに報告することもできる。
【００４４】
図５は、ここに記載する１つ以上の実施例により実行される動作を表してもよい論理フローチャート500の一実施例を示す。特に、論理フロー500は、或る実施例においてeNB104により実行され得る動作を表してもよい。論理フロー500に示すように、502において、eNBは、データ通信を提供するためにUEに通信可能に接続されることができる。eNB及びUEは、無線データ通信リンク上で通信することができる。ステップ502は、図４のステップ402に対応することができる。
【００４５】
504において、eNBは、UEがCA可能なUEであるという指示をUEから受信して処理することができる。UEからの指示は、UEがCAのために現在使用されていない１つ以上のRFチェーンを含むことを示すことができる。UEからの指示は、UEがCAのために現在使用されていないRFチェーンのうち１つ以上を使用してネットワーク測定を実行することができることを示すことができる。ステップ504は、図４のステップ406に対応することができる。
【００４６】
506において、eNBは、UEによりネットワーク測定を実装するための１つ以上のパラメータをネゴシエーションすることができる。様々な実施例では、eNBは、パラメータを選択することができ、選択されたパラメータをUEに提供することができる。次に、UEは、UEからパラメータを受け付け又は拒否することができる。或いは、UEは、eNBからのいずれか選択されたパラメータを拒否することができず、eNBからのいずれか選択されたパラメータを受け付けるように構成されることができる。選択されたパラメータがUEにより拒否された場合、eNBは、そのようなことを示すメッセージをUEから受信することができる。次に、eNBは、新たなパラメータ若しくは更なるパラメータ又は更新されたパラメータを再送信することができる。この処理は、UEがeNBからのパラメータを受け付けるまで繰り返されることができる。様々な実施例では、UEは、測定のための提示されたパラメータを承認のためにeNBに提供することができる。eNBは、UEからのこれらの提示されたパラメータを受け付け又は拒否することができる。ステップ506は、図４のステップ408に対応することができる。UE及びeNBが提示されたパラメータを受け付けると、測定を実装するためのパラメータが決定されることができる。測定のためのパラメータが決定されると、UEは、ネゴシエーション及び／又はプロビジョニングされたパラメータに基づいてネットワーク測定を実行することができる。その結果、eNBは、ネットワーク測定の結果を報告する１つ以上のメッセージをUEから受信することができる。
【００４７】
図６は、或る実施例を表してもよいような未使用のセカンダリRxチェーン602を使用したネットワーク測定の協調を示す。図６に示すように、未使用のRxチェーン602の動作は、アクティブなプライマリRFチェーン610の動作に対して示される。未使用のRxチェーン602の動作は、例えば、図２Ａに示す受信機及び／又は受信機チェーン206-1及び／又は図２Ｂに示す構成要素のいずれかの動作を表すことができる。未使用のセカンダリRxチェーンは、Scellと通信する際に使用する受信機及び／又は受信機チェーンの一部でもよい。プライマリRFチェーン610は、PCellと通信する際に使用するRFチェーンの一部（例えば、送信部若しくは受信部又はそのいずれかの構成要素）でもよい。
【００４８】
図６は、未使用のRxチェーン602により実行され得るネットワーク測定に関する様々なパラメータを示す。測定ギャップ長（MGL：measurement  gap  length）604は、未使用のセカンダリRxチェーン602がネットワーク測定を実行する期間（例えば、Rxチェーン602がRF信号を受信する期間）を表すことができる。MGL604の間に、未使用のRxチェーン602は、ネットワーク測定を実装するように動作されることができる。測定は、図６に示すようにMGL604の周期的な繰り返しにより表されるように、時間と共に繰り返されることができる。MLG604の繰り返しは、測定ギャップ繰り返し周期（MGRP：measurement  gap  repetition  period）606により指定されることができる。MGL604及びMGRP606は、未使用のセカンダリRxチェーン602がネットワーク測定を実行するようにスケジューリングされることができる時間を指定することができる。
【００４９】
MGL604の持続時間及びMGRP606の持続時間は変更されることができる。MGL604及びMGRP606の時間量は、UE及びeNBによりネゴシエーションされることができる。さらに、MGL604及びMGRP606は、所定の時間量608に相対的に指定されることができる。様々な実施例では、所定の時間量608は、480ミリ秒でもよい。MGL604及びMGRP606を変更することにより、ネットワーク測定のための時間量は、所定の時間量608内のネットワーク測定のための合計の時間量と共に変更されることができる。
【００５０】
図６は、セカンダリRxチェーン602によるネットワーク測定の実装に基づいてプライマリRFチェーン610の動作を変更するタイミングを更に示す。図６に示すように、MGL604は、サブフレーム612のシーケンスを含むことができる。各サブフレーム612の持続時間は固定されることができる。MGL604は、いずれかの数のサブフレーム612に対応する時間量を占有するように設定されることができる。一例として、図６は、３０個のサブフレーム612に対応する時間量を占有するMGL604を示す。サブフレームシーケンス612は、RFチェーン610が動作する時間の個々の割り当てを表すことができる。一例として、シーケンス612内のサブフレームのそれぞれは、RFチェーン610による送信又は受信動作に割り当てられたサブフレームを表すことができる。
【００５１】
サブフレーム614は、サブフレームシーケンス612内の最初のサブフレームに対応することができる。サブフレーム616は、サブフレームシーケンス612内の最後のサブフレームに対応することができる。最初のサブフレーム614は、未使用のセカンダリRxチェーン602が電源投入又はオンになる時間を表すことができる。この動作は、RFチェーン610により送信又は受信されるRF信号と干渉し得るため、RFチェーン610は、サブフレーム期間614の間（及び／又はこのサブフレーム期間614の周辺のサブフレーム期間の間）に動作することを防げられることができる。さらに、最後のサブフレーム616は、未使用のセカンダリRxチェーン602が電源切断又はオフになる時間を表すことができる。同様に、この動作は、RFチェーン610により送信又は受信されるRF信号と干渉し得るため、RFチェーン610は、サブフレーム期間616の間（及び／又はこのサブフレーム期間616の周辺のサブフレーム期間の間）に動作することを防げられることができる。最初及び最後のサブフレーム期間614及び616は、それぞれ短測定ギャップであると考えられることができ、短測定ギャップは、いつPcellのRFチェーン610の動作に対する調整が可能性のある干渉を低減するために実装され得るかを指定することができる。
【００５２】
MGL604及びMGRP606は、UEとeNBとの間でネゴシエーション又はプロビジョニングされ得る（例えば、図４のステップ408及び／又は図５のステップ506等）、Rxチェーン610によるネットワーク測定を実行するためのパラメータである。
【００５３】
様々な実施例では、MGL604は、
MGL=N×5ms+1ms
に従って決定又は設定されることができる。ここで、Nは正の整数である。さらに、様々な実施例では、MGRP606は、
【００５４】
【数１】
0006400730.tif 000002
に従って決定又は設定されることができる。ここで、Mは正の整数である。
【００５５】
図７は、図６に関して示したMGL及びMGRPのための例示的な可能性のある構成700を示す。例示的な構成は、図７に示すようにギャップパターン識別情報（ID）により指定されることができる。第１の構成702は、“0”のギャップパターンIDに対応することができ、6msのMGL及び40msのMGRPを指定することができる。480ms（“Tinter1”）の期間での最小の測定時間量は、第１の構成702では60msでもよい。この最小の測定時間量は、
【００５６】
【数２】
0006400730.tif 000003
に従って決定されることができる。
【００５７】
第２の構成704は、“1”のギャップパターンIDに対応することができ、6msのMGL及び80msのMGRPを指定することができる。480msの期間での最小の測定時間量は、第２の構成704では30msでもよい。
【００５８】
第３の構成706は、“2”のギャップパターンIDに対応することができ、31msのMGL及び120msのMGRPを指定することができる。480msの期間での最小の測定時間量は、第２の構成706では120msでもよい。
【００５９】
第４の構成708は、“3”のギャップパターンIDに対応することができ、16msのMGL及び120msのMGRPを指定することができる。480msの期間での最小の測定時間量は、第４の構成708では120msでもよい。
【００６０】
図７に示すギャップパターンIDは、MGL及びMGRPの特定の構成を識別するためにUEとeNBとの間の通信において使用されることができる。一例として、図７に示すギャップパターンIDは、CA可能なUEの未使用のセカンダリRxチェーンを使用した無線ネットワーク測定を実行するためのネゴシエーションの一部として、図４のステップ408及び／又は図５のステップ506においてUEとeNBとの間で交換されるパラメータでもよい。
【００６１】
未使用のセカンダリRxチェーンを使用したネットワーク測定の構成を指定することができる更なるパラメータは、ギャップオフセットでもよい。ギャップオフセットは、サブフレームのシーケンスに対する第１の測定ギャップの開始点を指定することができる。一例として、第１の測定ギャップ614は、シーケンス612の最初のサブフレーム内に位置し、これにより、ゼロのギャップオフセットに対応することができる。例示的なゼロでないギャップオフセット618が図６に示される。ゼロでないギャップオフセット618は、シーケンス612に対する第１の測定ギャップのタイミングを指定することができる。ギャップオフセットは、最後の測定ギャップ616の位置、したがってMGL604の終わりを対応して調整することにより、図６に示すMGL604のブロックの位置を調整することができる。
【００６２】
ギャップオフセットは、情報要素、例えば、MeasGapConfig情報要素を使用して指定されることができる。ギャップオフセットは、特定の指定されたギャップパターンIDに基づいて変更することができる。特定のギャップパターンIDでは、最小のギャップオフセットは、0でもよく、最大のギャップオフセットは、ギャップパターンIDのMGRP未満の値でもよい。例えば、図７に示す構成702に対応する“0”のギャップパターンIDでは、ギャップオフセットは、0〜39の間の整数値をとることができる。図７に示す構成704に対応する“1”のギャップパターンIDでは、ギャップオフセットは、0〜79の間の整数値をとることができる。図７に示す構成706に対応する“2”のギャップパターンIDでは、ギャップオフセットは、0〜119の間の整数値をとることができる。図７に示す構成708に対応する“3”のギャップパターンIDでは、ギャップオフセットは、0〜39の間の整数値をとることができる。
【００６３】
決定されたMGL、MGRP（例えば、ギャップパターンIDにより指定される）及びギャップオフセット（例えば、MeasGapConfig情報要素において指定される）に基づいて、未使用のセカンダリRxチェーンによるネットワーク測定のタイミングが実装されることができる。さらに、構成されたネットワーク測定に関連する短測定ギャップは、アクティブなプライマリRFチェーンの動作に対する調整が実装され得るように決定されることができる。
【００６４】
図８は、装置800のブロック図を示す。装置800は、未使用のセカンダリ受信機及び／又は受信機チェーンを使用してネットワーク測定を実行するための技術を実装するUE（例えば、UE102）を表してもよい。したがって、装置800は、図４に関して説明したメッセージフロー400の部分を実装してもよい。図８に示すように、装置800は、プロセッサ回路802と、メモリユニット804と、通信構成要素806と、管理構成要素808とを含む複数の要素を含んでもよい。しかし、実施例は、この図面に示す要素のタイプ、数又は構成に限定されない。
【００６５】
或る実施例では、装置800は、プロセッサ回路802を含んでもよい。プロセッサ回路802は、CISC（complex  instruction  set  computer）マイクロプロセッサ、RISC（reduced  instruction  set  computing）マイクロプロセッサ、VLIW（very  long  instruction  word）マイクロプロセッサ、x86命令セット互換プロセッサ、命令セットの組み合わせを実装したプロセッサ、デュアルコアプロセッサ若しくはデュアルコアモバイルプロセッサのようなマルチコアプロセッサ、又は他のマイクロプロセッサ若しくは中央処理装置（CPU）のような、いずれかのプロセッサ又は論理デバイスを使用して実装されてもよい。プロセッサ回路802はまた、コントローラ、マイクロコントローラ、埋め込み型プロセッサ、CMP（chip  multiprocessor）、コプロセッサ、DSP（digital  signal  processor）、ネットワークプロセッサ、メディアプロセッサ、I/O（input/output）プロセッサ、MAC（media  access  control）プロセッサ、無線ベースバンドプロセッサ、ASIC（application  specific  integrated  circuit）、FPGA（field  programmable  gate  array）、PLD（programmable  logic  device）等のような専用プロセッサとして実装されてもよい。一実施例では、例えば、プロセッサ回路802は、IntelR  Corporation,  Santa  Clara,  Calif.により作られたプロセッサのような汎用プロセッサとして実装されてもよい。実施例は、この点に限定されない。
【００６６】
様々な実施例では、装置800は、メモリユニット804を含んでもよく、或いはメモリユニット804に通信可能に結合するように構成されてもよい。メモリユニット804は、揮発性メモリ及び不揮発性メモリの双方を含み、データを記憶することができるいずれかの機械読み取り可能又はコンピュータ読み取り可能媒体を使用して実装されてもよい。例えば、メモリユニット804は、ROM（read-only  memory）、RAM（random-access  memory）、DRAM（dynamic  RAM）、DDRAM（Double-Data-Rate  DRAM）、SDRAM（synchronous  DRAM）、SRAM（static  RAM）、PROM（programmable  ROM）、EPROM（erasable  programmable  ROM）、EEPROM（electrically  erasable  programmable  ROM）、フラッシュメモリ、強誘電性ポリマーメモリのようなポリマーメモリ、オボニックメモリ、相変化若しくは強誘電性メモリ、SONOS（silicon-oxide-nitride-oxide-silicon）メモリ、磁気若しくは光カード、又は情報を記憶するのに適した他の種類の媒体を含んでもよい。メモリ804の或る部分又は全部は、プロセッサ回路802と同じ集積回路に含まれてもよく、或いはメモリユニット804の或る部分又は全部は、プロセッサ回路802の集積回路の外部にある集積回路又は他の媒体、例えば、ハードディスクドライブ上に配置されてもよいことに留意することは価値がある。メモリユニット804は図８の装置800に含まれるが、或る実施例では、メモリユニット804は、装置800の外部でもよい。実施例は、この点に限定されない。
【００６７】
様々な実施例では、装置800は、通信構成要素806を含んでもよい。通信構成要素806は、メッセージを１つ以上の遠隔デバイスに送信し、及び／又は１つ以上の遠隔デバイスからメッセージを受信するように動作可能なロジック、回路及び／又は命令を含んでもよい。或る実施例では、通信構成要素806は、１つ以上の有線接続、１つ以上の無線接続又は双方の組み合わせ上でメッセージを送信及び／又は受信するように動作可能でもよい。様々な実施例では、通信構成要素806は、このような通信をサポートする様々な動作を実行するように動作可能なロジック、回路及び／又は命令を更に含んでもよい。このような動作の例は、送信及び／又は受信パラメータ及び／又はタイミングの選択、パケット及び／又はプロトコルデータユニット（PDU：protocol  data  unit）の構築及び／又は解体、符号化及び／又は復号化、誤り検出及び／又は誤り訂正を含んでもよい。実施例は、これらの例に限定されない。
【００６８】
或る実施例では、装置800は、管理構成要素808を含んでもよい。管理構成要素808は、通信構成要素806に対してメッセージを生成して送信すること及び／又はメッセージを受信して処理することの指示を含み、装置800の機能動作を管理するように動作可能なロジック、回路及び／又は命令を含んでもよい。実施例は、この点に限定されない。
【００６９】
図８はまた、システム810のブロック図も示す。システム810は、装置800の前述の要素のいずれかを含んでもよい。システム810は、１つ以上の無線周波数（RF）トランシーバ812を更に含んでもよい。RFトランシーバ812は、様々な適切な無線通信技術を使用して信号を送信及び受信することができる１つ以上の無線機を含んでもよい。このような技術は、１つ以上の無線ネットワークをまたぐ通信に関与してもよい。例示的な無線ネットワークは、セルラ無線アクセスネットワーク、WLAN（wireless  local  area  network）、WPAN（wireless  personal  area  network）、WMAN（wireless  metropolitan  area  network）及び衛星ネットワークを含む（これらに限定されない）。このようなネットワークをまたいで通信する際に、RFトランシーバ812は、いずれかのバージョンの１つ以上の適用可能な標準に従って動作してもよい。一例として、RFトランシーバ812は、図２Ａに示すRFフロントエンドを実装することができ、図２Ｂに示すRxチェーン206-1を含むことができる。RFトランシーバ812は、プライマリRFチェーンがPcell  eNBと通信することができ、少なくとも１つのセカンダリRFチェーンがScell  eNBと通信することができるように、１つ以上のRFチェーンを含むことができる。セカンダリRFチェーンは、CAを使用して通信するように構成又は動作されない場合、ここに記載する無線ネットワーク測定を実装することができる。様々な実施例では、RFトランシーバ812のプライマリ及び１つ以上のセカンダリRFチェーンは、単一の集積回路上に実装されることができる。実施例は、この点に限定されない。
【００７０】
様々な実施例では、システム810は、１つ以上のRFアンテナ814を含んでもよい。いずれか特定のRFアンテナ814の例は、限定することなく、内部アンテナ、無指向性アンテナ、モノポールアンテナ、ダイポールアンテナ、エンドフェッドアンテナ、円偏波アンテナ、マイクロストリップアンテナ、ダイバーシチアンテナ、デュアルアンテナ、３バンドアンテナ、４バンドアンテナ等を含んでもよい。或る実施例では、RFトランシーバ812は、１つ以上のRFアンテナ814を使用してメッセージ及び／又はデータを送信及び／又は受信するように動作可能でもよい。実施例は、この点に限定されない。
【００７１】
様々な実施例では、システム810は、ディスプレイ816を含んでもよい。ディスプレイ816は、プロセッサ回路802から受信した情報を表示することができるいずれかのディスプレイデバイスを含んでもよい。ディスプレイ816の例は、テレビ、モニタ、プロジェクタ、及びコンピュータスクリーンを含んでもよい。一実施例では、例えば、ディスプレイ816は、LCD（liquid  crystal  display）、LED（light  emitting  diode）又は他の種類の適切な視覚インタフェースにより実現されてもよい。ディスプレイ816は、例えば、接触式ディスプレイスクリーン（“タッチスクリーン”）を含んでもよい。或る実装では、ディスプレイ816は、埋め込み型トランジスタを含む１つ以上のTFT（thin-film  transistor）LCDを含んでもよい。しかし、実施例は、これらの例に限定されない。
【００７２】
様々な実施例では、通信構成要素806は、eNB818とメッセージを送信及び受信するように動作可能でもよい。eNB818は、図１及び３に関して図示及び記載したeNB104を表すことができる。eNB818との通信は、ここに記載した１つ以上のセルラ通信プロトコルに従って無線データ接続820上で実装されることができる。様々な実施例では、通信構成要素806は、図４に示すメッセージフロー400を実装するために管理構成要素808の指示により、メッセージを生成して送信することができ、メッセージを受信して処理することができる。
【００７３】
様々な実施例では、管理構成要素808は、セカンダリ受信機チェーンを使用して無線ネットワーク測定の実行を実装するために、装置800及び／又はシステム810の動作を管理することができる。管理構成要素808は、図４に示すメッセージフロー400を管理することができ、ここに記載する決定及びネゴシエーションステップを実行することができる。管理は、ここに記載するように無線ネットワークと通信するために第１のRFチェーンを実装することと、無線ネットワーク測定を実行するように第２のRFチェーンを実装することとを含み、複数のRFトランシーバ812を管理することができる。
【００７４】
図９は、装置900のブロック図を示す。装置900は、CA可能なUEの未使用のセカンダリ受信機及び／又は受信機チェーンを使用してネットワーク測定を実行するための技術を実装するeNB（例えば、eNB104）を表してもよい。したがって、装置900は、図５に関して説明したメッセージフロー500の部分を実装してもよい。図９に示すように、装置900は、プロセッサ回路902と、メモリユニット904と、通信構成要素906と、管理構成要素908とを含む複数の要素を含んでもよい。しかし、実施例は、この図面に示す要素のタイプ、数又は構成に限定されない。
【００７５】
或る実施例では、装置900は、プロセッサ回路902を含んでもよい。プロセッサ回路902は、CISC（complex  instruction  set  computer）マイクロプロセッサ、RISC（reduced  instruction  set  computing）マイクロプロセッサ、VLIW（very  long  instruction  word）マイクロプロセッサ、x86命令セット互換プロセッサ、命令セットの組み合わせを実装したプロセッサ、デュアルコアプロセッサ若しくはデュアルコアモバイルプロセッサのようなマルチコアプロセッサ、又は他のマイクロプロセッサ若しくは中央処理装置（CPU）のような、いずれかのプロセッサ又は論理デバイスを使用して実装されてもよい。プロセッサ回路902はまた、コントローラ、マイクロコントローラ、埋め込み型プロセッサ、CMP（chip  multiprocessor）、コプロセッサ、DSP（digital  signal  processor）、ネットワークプロセッサ、メディアプロセッサ、I/O（input/output）プロセッサ、MAC（media  access  control）プロセッサ、無線ベースバンドプロセッサ、ASIC（application  specific  integrated  circuit）、FPGA（field  programmable  gate  array）、PLD（programmable  logic  device）等のような専用プロセッサとして実装されてもよい。一実施例では、例えば、プロセッサ回路902は、IntelR  Corporation,  Santa  Clara,  Calif.により作られたプロセッサのような汎用プロセッサとして実装されてもよい。実施例は、この点に限定されない。
【００７６】
様々な実施例では、装置900は、メモリユニット904を含んでもよく、或いはメモリユニット904に通信可能に結合するように構成されてもよい。メモリユニット904は、揮発性メモリ及び不揮発性メモリの双方を含み、データを記憶することができるいずれかの機械読み取り可能又はコンピュータ読み取り可能媒体を使用して実装されてもよい。例えば、メモリユニット904は、ROM（read-only  memory）、RAM（random-access  memory）、DRAM（dynamic  RAM）、DDRAM（Double-Data-Rate  DRAM）、SDRAM（synchronous  DRAM）、SRAM（static  RAM）、PROM（programmable  ROM）、EPROM（erasable  programmable  ROM）、EEPROM（electrically  erasable  programmable  ROM）、フラッシュメモリ、強誘電性ポリマーメモリのようなポリマーメモリ、オボニックメモリ、相変化若しくは強誘電性メモリ、SONOS（silicon-oxide-nitride-oxide-silicon）メモリ、磁気若しくは光カード、又は情報を記憶するのに適した他の種類の媒体を含んでもよい。メモリ904の或る部分又は全部は、プロセッサ回路902と同じ集積回路に含まれてもよく、或いはメモリユニット904の或る部分又は全部は、プロセッサ回路902の集積回路の外部にある集積回路又は他の媒体、例えば、ハードディスクドライブ上に配置されてもよいことに留意することは価値がある。メモリユニット904は図９の装置900に含まれるが、或る実施例では、メモリユニット904は、装置900の外部でもよい。実施例は、この点に限定されない。
【００７７】
様々な実施例では、装置900は、通信構成要素906を含んでもよい。通信構成要素906は、メッセージを１つ以上の遠隔デバイスに送信し、及び／又は１つ以上の遠隔デバイスからメッセージを受信するように動作可能なロジック、回路及び／又は命令を含んでもよい。或る実施例では、通信構成要素906は、１つ以上の有線接続、１つ以上の無線接続又は双方の組み合わせ上でメッセージを送信及び／又は受信するように動作可能でもよい。様々な実施例では、通信構成要素906は、このような通信をサポートする様々な動作を実行するように動作可能なロジック、回路及び／又は命令を更に含んでもよい。このような動作の例は、送信及び／又は受信パラメータ及び／又はタイミングの選択、パケット及び／又はプロトコルデータユニット（PDU：protocol  data  unit）の構築及び／又は解体、符号化及び／又は復号化、誤り検出及び／又は誤り訂正を含んでもよい。実施例は、これらの例に限定されない。
【００７８】
或る実施例では、装置900は、管理構成要素908を含んでもよい。管理構成要素908は、通信構成要素906に対してメッセージを生成して送信すること及び／又はメッセージを受信して処理することの指示を含み、装置900の機能動作を管理するように動作可能なロジック、回路及び／又は命令を含んでもよい。実施例は、この点に限定されない。
【００７９】
図９はまた、システム910のブロック図も示す。システム910は、装置900の前述の要素のいずれかを含んでもよい。システム910は、１つ以上の無線周波数（RF）トランシーバ912を更に含んでもよい。RFトランシーバ912は、様々な適切な無線通信技術を使用して信号を送信及び受信することができる１つ以上の無線機を含んでもよい。このような技術は、１つ以上の無線ネットワークをまたぐ通信に関与してもよい。例示的な無線ネットワークは、セルラ無線アクセスネットワーク、WLAN（wireless  local  area  network）、WPAN（wireless  personal  area  network）、WMAN（wireless  metropolitan  area  network）及び衛星ネットワークを含む（これらに限定されない）。このようなネットワークをまたいで通信する際に、RFトランシーバ912は、いずれかのバージョンの１つ以上の適用可能な標準に従って動作してもよい。実施例は、この点に限定されない。
【００８０】
様々な実施例では、システム910は、１つ以上のRFアンテナ914を含んでもよい。いずれか特定のRFアンテナ914の例は、限定することなく、内部アンテナ、無指向性アンテナ、モノポールアンテナ、ダイポールアンテナ、エンドフェッドアンテナ、円偏波アンテナ、マイクロストリップアンテナ、ダイバーシチアンテナ、デュアルアンテナ、３バンドアンテナ、４バンドアンテナ等を含んでもよい。或る実施例では、RFトランシーバ912は、１つ以上のRFアンテナ914を使用してメッセージ及び／又はデータを送信及び／又は受信するように動作可能でもよい。実施例は、この点に限定されない。
【００８１】
様々な実施例では、通信構成要素906は、UE918とメッセージを送信及び受信するように動作可能でもよい。UE918は、図１及び３に関して図示及び記載したUE102を表すことができる。eNB918との通信は、ここに記載した１つ以上のセルラ通信プロトコルに従って無線データ接続920上で実装されることができる。様々な実施例では、通信構成要素906は、図５に示すメッセージフロー500を実装するために管理構成要素908の指示により、メッセージを生成して送信することができ、メッセージを受信して処理することができる。
【００８２】
様々な実施例では、管理構成要素908は、UE918のセカンダリ受信機チェーンを使用して無線ネットワーク測定の実行を実装するために、装置900及び／又はシステム910の動作を管理することができる。管理構成要素908は、図５に示すメッセージフロー500を管理することができ、ここに記載する決定及びネゴシエーションステップを実行することができる。
【００８３】
図１０は、図８の装置800及び／又はシステム810、図９の装置900及び／又はシステム910のうち１つ以上を実装してもよく、及び／又は図４〜５に関して説明したメッセージフロー400及び／又は500の部分を実装してもよい通信デバイス1000の実施例を示す。
【００８４】
図１０に示すように、通信デバイス1000は、記憶媒体1026を含むことができる。記憶媒体1026は、光、磁気又は半導体記憶媒体のように、いずれかの過渡的でないコンピュータ読み取り可能又は機械読み取り可能媒体を含んでもよい。様々な実施例では、記憶媒体1026は、製造物を含んでもよい。或る実施例では、記憶媒体1026は、図８の装置800及び／又はシステム810、図９の装置900及び／又はシステム910のうち１つ以上に関して説明した動作のうち１つ以上を実装するためのコンピュータ実行可能命令のようなコンピュータ実行可能命令を記憶してもよく、及び／又は図４〜５に関して説明したメッセージフロー400及び／又は500の部分を実装してもよい。コンピュータ読み取り可能又は機械読み取り可能記憶媒体の例は、揮発性メモリ又は不揮発性メモリ、取り外し可能又は取り外し不可能メモリ、消去可能又は消去不可能メモリ、書き込み可能又は再書き込み可能メモリ等を含み、電子データを記憶することができるいずれかの有形の媒体を含んでもよい。コンピュータ実行可能命令の例は、ソースコード、コンパイル済コード、インタープリタ型コード、実行可能コード、静的コード、動的コード、オブジェクト指向型コード、ビジュアルコード等のようないずれか適切な種類のコードを含んでもよい。実施例は、この点に限定されない。
【００８５】
様々な実施例では、デバイス1000は、論理回路1028を含んでもよい。論理回路1028は、図８の装置800及び／又はシステム810、図９の装置900及び／又はシステム910、記憶媒体1026のうち１つ以上について説明した動作を実行するための物理回路を含んでもよく、及び／又は図４〜５に関して説明したメッセージフロー400及び／又は500の部分を実装してもよい。図１０に示すように、デバイス1000は、通信インタフェース1002と、ベースバンド回路1004と、コンピューティングプラットフォーム1030とを含んでもよいが、実施例はこの構成に限定されない。
【００８６】
デバイス1000は、完全に単一のデバイス内のように、単一のコンピューティング回路内に前述の構成及び／又は動作の一部又は全部を実装してもよい。或いは、デバイス100は、クライアント・サーバアーキテクチャ、３層アーキテクチャ、N層アーキテクチャ、密結合又はクラスタ化アーキテクチャ、ピア・ツー・ピアアーキテクチャ、マスター・スレーブアーキテクチャ、共有データベースアーキテクチャ、及び他の種類の分散システムのような分散システムアーキテクチャを使用して、前述の構成及び／又は動作の部分を複数のコンピューティングエンティティにわたって分散してもよい。実施例は、この点に限定されない。
【００８７】
一実施例では、通信インタフェース1002は、１つ以上の通信標準プロトコルに従って１つ以上の有線又は無線インタフェース上で通信メッセージを送信及び受信するように適合された構成要素又は構成要素の組み合わせを含んでもよい。一例として、通信インタフェースは、無線インタフェースでもよく、シングルキャリア又はマルチキャリア変調信号（例えば、CCK（complementary  code  keying）及び／又はOFDM（orthogonal  frequency  division  multiplexing）及び／又はSC-FDM（single  carrier  frequency  division  multiplexing）シンボルを含む）を送信及び／又は受信するように適合された構成要素又は構成要素の組み合わせを含んでもよいが、実施例はいずれか特定の無線インタフェース又は変調方式に限定されない。通信インタフェース1002は、例えば、受信機1006及び送信機1008を含んでもよい。無線インタフェースとして、通信インタフェース1002はまた、周波数シンセサイザ1010も含んでもよい。無線インタフェースとして、通信インタフェース1002は、バイアス制御、水晶発振器及び／又は１つ以上のアンテナ1012-fを含んでもよい。他の実施例では、無線インタフェースとして、通信インタフェース1002は、必要に応じて、外部のVCO（voltage-controlled  oscillator）、表面弾性波フィルタ、中間周波数（IF：intermediate  frequency）フィルタ及び／又はRFフィルタを使用してもよい。潜在的なRFインタフェース設計の多様性のため、その広範囲の説明は省略される。
【００８８】
ベースバンド回路1004は、信号を処理、受信及び／又は送信するために無線インタフェース1002と通信してもよい。ベースバンド回路1004は、アナログ・デジタル変換器（ADC）1014及びデジタル・アナログ変換器（DAC）1016を含んでもよい。無線インタフェースとして実装された通信インタフェース1202の或る実施例では、ADC1014は、受信信号をダウンコンバートするために使用されることができ、DAC1016は、送信のために信号をアップコンバートするために使用されることができる。回路1004は、それぞれ受信／送信信号のPHYリンクレイヤの処理のために、ベースバンド又は物理レイヤ（PHY）処理回路1018を含んでもよい。回路1004は、例えば、媒体アクセス制御（MAC）／データリンクレイヤ処理のためのMAC処理回路1020を含んでもよい。回路1004は、例えば１つ以上のインタフェース1024を介して、MAC処理回路1020及び／又はコンピューティングプラットフォーム1030と通信するためのメモリコントローラ1022を含んでもよい。
【００８９】
或る実施例では、PHY処理回路1018は、バッファメモリのような更なる回路と組み合わせて、フレームを構築及び／又は分解するフレーム構築及び／又は検出モジュールを含んでもよい。或いは又は更に、MAC処理回路1020は、これらの機能の特定のものの処理を共有してもよく、或いはPHY処理回路1018と独立してこれらの処理を実行してもよい。或る実施例では、MAC及びPHY処理は単一の回路に統合されてもよい。
【００９０】
コンピューティングプラットフォーム1030は、デバイス1000のコンピューティング機能を提供してもよい。図示のように、コンピューティングプラットフォーム1030は、処理構成要素1032を含んでもよい。回路1004に加えて又は回路1004の別法として、デバイス1000は、処理構成要素1032を使用して、図８の装置800及び／又はシステム810、図９の装置900及び／又はシステム910、記憶媒体1026、論理回路1028の１つ以上の処理動作又はロジックを実行してもよく、図４〜５に関して説明したメッセージフロー400及び／又は500の部分を実装してもよい。
【００９１】
処理構成要素1032（及び／又はPHY1018及び／又はMAC1020）は、様々なハードウェア要素、ソフトウェア要素又は双方の組み合わせを含んでもよい。ハードウェア要素の例は、デバイス、論理デバイス、コンポーネント、プロセッサ、マイクロプロセッサ、回路、プロセッサ回路、回路素子（例えば、トランジスタ、抵抗、コンデンサ、インダクタ等）、集積回路、特定用途向け集積回路（ASIC）、プログラム可能論理デバイス（PLD）、デジタルシグナルプロセッサ（DSP）、フィールドプログラマブルゲートアレイ（FPGA）、メモリユニット、論理ゲート、レジスタ、半導体デバイス、チップ、マイクロチップ、チップセット等を含んでもよい。ソフトウェア要素の例は、ソフトウェアコンポーネント、プログラム、アプリケーション、コンピュータプログラム、アプリケーションプログラム、システムプログラム、ソフトウェア開発プログラム、機械プログラム、オペレーティングシステムソフトウェア、ミドルウェア、ファームウェア、ソフトウェアモジュール、ルーチン、サブルーチン、関数、メソッド、プロシージャ、ソフトウェアインタフェース、アプリケーションプログラムインタフェース（API）、命令セット、コンピューティングコード、コンピュータコード、コードセグメント、コンピュータコードセグメント、ワード、値、シンボル又はこれらのいずれかの組み合わせを含んでもよい。実施例がハードウェア要素及び／又はソフトウェア要素を使用して実装されるか否かを決定することは、所与の実装に必要な、所望の計算レート、電力レベル、耐熱性、処理サイクル予算、入力データレート、出力データレート、メモリリソース、データバス速度及び他の設計上又は性能上の制約のような、いずれかの数の要因に従って変化し得る。
【００９２】
コンピューティングプラットフォーム1030は、他のプラットフォームコンポーネント1034を更に含んでもよい。他のプラットフォームコンポーネント1034は、１つ以上のプロセッサ、マルチコアプロセッサ、コプロセッサ、メモリユニット、チップセット、コントローラ、周辺機器、インタフェース、発振器、タイミングデバイス、ビデオカード、オーディオカード、マルチメディア入出力（I/O）コンポーネント（例えば、デジタルディスプレイ）、電源等のような共通のコンピューティング要素を含む。メモリユニットの例は、非限定的に、読み取り専用メモリ（ROM）、ランダムアクセスメモリ（RAM）、ダイナミックRAM（DRAM）、ダブルデータレートDRAM（DDRAM）、シンクロナスDRAM（SDRAM）、スタティックRAM（SRAM）、プログラム可能ROM（PROM）、消去可能プログラム可能ROM（EPROM）、電気的消去可能プログラム可能ROM（EEPROM）、フラッシュメモリ、強誘電性ポリマーメモリのようなポリマーメモリ、オボニックメモリ、相変化又は強誘電性メモリ、SONOS（silicon-oxide-nitride-oxide-silicon）メモリ、磁気又は光カード、RAID（Redundant  Array  of  Independent  Disks）ドライブのようなデバイスのアレイ、ソリッドステートメモリデバイス（例えば、USBメモリ、ソリッドステートドライブ（SSD））、及び情報を格納するのに適した他の種類の記憶媒体のように、１つ以上の高速メモリユニットの形式の様々な種類のコンピュータ読み取り可能及び機械読み取り可能記憶媒体を含んでもよい。
【００９３】
デバイス1000は、例えば、ウルトラモバイルデバイス、モバイルデバイス、固定デバイス、M2M（machine-to-machine）デバイス、PDA（personal  digital  assistant）、モバイルコンピューティングデバイス、スマートフォン、電話、デジタル電話、セルラ電話、ユーザ装置、eBookリーダ、ハンドセット、片方向ページャ、双方向ページャ、メッセージングデバイス、コンピュータ、パーソナルコンピュータ（PC）、デスクトップコンピュータ、ラップトップコンピュータ、ノートブックコンピュータ、ネットブックコンピュータ、ハンドヘルドコンピュータ、タブレットコンピュータ、サーバ、サーバアレイ若しくはサーバファーム、ウェブサーバ、ネットワークサーバ、インターネットサーバ、ワークステーション、ミニコンピュータ、メインフレームコンピュータ、スーパーコンピュータ、ネットワーク機器、ウェブ機器、分散コンピューティングシステム、マイクロプロセッサシステム、プロセッサに基づくシステム、家庭用電化製品、プログラム可能家庭用電化製品、ゲームデバイス、ディスプレイ、テレビ、デジタルテレビ、セットトップボックス、無線アクセスポイント、基地局、node  B、eNB、UE、加入者局、モバイル加入者センタ、無線ネットワークコントローラ、ルータ、ハブ、ゲートウェイ、ブリッジ、スイッチ、機械、又はこれらの組み合わせでもよい。したがって、ここに記載するデバイス1000の機能及び／又は特定の構成は、適切に必要に応じて、デバイス1000の様々な実施例に含まれてもよく、或いは省略されてもよい。
【００９４】
デバイス1000の実施例は、SISO（single  input  single  output）アーキテクチャを使用して実装されてもよい。しかし、特定の実装は、ビームフォーミング若しくはSDMA（spatial  division  multiple  access）のための適応アンテナ技術及び／又はMIMO（multiple  input  multiple  output）通信技術を使用した送信及び／受信のために、複数のアンテナ（例えば、アンテナ1012-f）を含んでもよい。
【００９５】
デバイス1000の構成要素及び機能は、ディスクリート回路、特定用途向け集積回路（ASIC）、論理ゲート及び／又は単一チップアーキテクチャのいずれかの組み合わせを使用して実装されてもよい。さらに、デバイス1000の機能は、適切に必要に応じて、マイクロコントローラ、プログラム可能論理アレイ及び／又はマイクロプロセッサ、又は前述のいずれかの組み合わせを使用して実装されてもよい。ハードウェア、ファームウェア及び／又はソフトウェア要素は、併せて或いは個別にここでは“ロジック”又は“回路”と呼ばれることがある点に留意すべきである。
【００９６】
図１０のブロック図に示す例示的なデバイス1000は、多くの潜在的な実装のうち１つの機能的な説明例を表し得ることが分かる。したって、添付図面に示すブロック機能の分割、省略又は包含は、これらの機能を実装するハードウェア構成要素、回路、ソフトウェア及び／又は要素が実施例において必ずしも分割、省略又は包含されることを推測するものではない。
【００９７】
図１１は、ブロードバンド無線アクセスシステム1100の実施例を示す。図１１に示すように、ブロードバンド無線アクセスシステム1100は、インターネット1110へのモバイル無線アクセス及び／又は固定無線アクセスをサポートすることができるインターネット1110タイプのネットワーク等を含むインターネットプロトコル（IP：internet  protocol）タイプのネットワークでもよい。１つ以上の実施例では、ブロードバンド無線アクセスシステム1100は、3GPP  LTE仕様及び／又はIEEE802.11標準の１つ以上に準拠したシステムのように、いずれかの種類のOFDMA（orthogonal  frequency  division  multiple  access）に基づく或いはSC-FDMA（single-carrier  frequency  division  multiple  access）に基づく無線ネットワークを含んでもよく、特許請求の範囲の対象物の範囲は、これらの点に限定されない。
【００９８】
例示的なブロードバンド無線アクセスシステム1100では、無線アクセスネットワーク（RAN）1112及び1118は、１つ以上の固定デバイス1116とインターネット1110との間及び／又は１つ以上のモバイルデバイス1122とインターネット1110との間の無線通信を提供するために、それぞれeNB（evolved  node  B）1114及び1120と結合することができる。固定デバイス1116及びモバイルデバイス1122の一例は、図１２のデバイス1200であり、固定デバイス1116は、デバイス1200の静止版を含み、モバイルデバイス1122は、デバイス1200のモバイル版を含む。RAN1112及び1118は、ブロードバンド無線アクセスシステム1100上の１つ以上の物理エンティティへのネットワーク機能のマッピングを規定することができるプロファイルを実装してもよい。eNB1114及び1120は、デバイス1200を参照して説明したように、固定デバイス1116及び／又はモバイルデバイス1122とのRF通信を提供するための無線装置を含んでもよく、例えば、3GPP  LTE仕様又はIEEE802.11標準に準拠したPHY及びMACレイヤ装置を含んでもよい。eNB1114及び1120は、それぞれRAN1112及び1118を介してインターネット1110に結合するためのIPバックプレーンを更に含んでもよいが、特許請求の範囲の対象物の範囲は、これらの点に限定されない。
【００９９】
ブロードバンド無線アクセスシステム1100は、プロキシ及び／又は中継タイプの機能、例えば、AAA（authentication,  authorization  and  accounting）機能、DHCP（dynamic  host  configuration  protocol）機能、又はドメインネームサービス制御等、PSTN（public  switched  telephone  network）ゲートウェイ又はVoIP（voice  over  internet  protocol）ゲートウェイのようなドメインゲートウェイ、及び／又はインターネットプロトコル（IP）タイプのサーバ機能等を含むが、これらに限定されない１つ以上のネットワーク機能をそれぞれ提供することができる訪問先コアネットワーク（CN：core  network）1124及び／又はホームCN1126を更に含んでもよい。しかし、これらは、訪問先CN1124及び／又はホームCN1126により提供されることができる機能の種類の単なる例であり、特許請求の範囲の対象物の範囲は、これらの点に限定されない。訪問先CN1124が固定デバイス1116又はモバイルデバイス1122の通常のサービスプロバイダの一部ではない場合、例えば、固定デバイス1116又はモバイルデバイス1122がそれぞれのホームCN1126から離れてローミングしている場合、又はブロードバンド無線アクセスシステム1100が固定デバイス1116又はモバイルデバイス1122の通常のサービスプロバイダの一部であるが、ブロードバンド無線アクセスシステム1100が固定デバイス1116又はモバイルデバイス1122の主な位置又はホーム位置ではない他の位置又は状態にあり得る場合、訪問先CN1124は、訪問先CNと呼ばれてもよい。実施例は、この点に限定されない。
【０１００】
固定デバイス1116は、それぞれeNB1114及び1120並びにRAN1112及び1118並びにホームCN1126を介してインターネットへ1110のホーム用又はビジネス顧客用ブロードバンドアクセスを提供するために、ホーム又はビジネス内又はその近くのような、eNB1114及び1120の一方又は双方の範囲内のどこかに位置してもよい。固定デバイス1116は一般的に静止位置に配置されるが、必要に応じて異なる位置に動かされてもよいことに留意すべきことは価値がある。モバイルデバイス1122は、例えば、モバイルデバイス1122がeNB1114及び1120の一方又は双方の範囲内にあるときに、１つ以上の位置で利用されてもよい。１つ以上の実施例に従って、ブロードバンド無線アクセスシステム1100の管理機能を提供し、ブロードバンド無線アクセスシステム1100の機能エンティティの間のインタフェースを提供するために、オペレーションサポートシステム（OSS：operation  support  system）1128は、ブロードバンド無線アクセスシステム1100の一部でもよい。図１１のブロードバンド無線アクセスシステム1100は、ブロードバンド無線アクセスシステム1100の特定の数の構成要素を示す単に１つの種類の無線ネットワークに過ぎず、特許請求の範囲の対象物の範囲は、これらの点に限定されない。
【０１０１】
様々な実施例は、ハードウェア要素、ソフトウェア要素又は双方の組み合わせを使用して実装されてもよい。ハードウェア要素の例は、プロセッサ、マイクロプロセッサ、回路、プロセッサ回路、回路素子（例えば、トランジスタ、抵抗、コンデンサ、インダクタ等）、集積回路、特定用途向け集積回路（ASIC）、プログラム可能論理デバイス（PLD）、デジタルシグナルプロセッサ（DSP）、フィールドプログラマブルゲートアレイ（FPGA）、論理ゲート、レジスタ、半導体デバイス、チップ、マイクロチップ、チップセット等を含んでもよい。ソフトウェア要素の例は、ソフトウェアコンポーネント、プログラム、アプリケーション、コンピュータプログラム、アプリケーションプログラム、システムプログラム、機械プログラム、オペレーティングシステムソフトウェア、ミドルウェア、ファームウェア、ソフトウェアモジュール、ルーチン、サブルーチン、関数、メソッド、プロシージャ、ソフトウェアインタフェース、アプリケーションプログラムインタフェース（API）、命令セット、コンピューティングコード、コンピュータコード、コードセグメント、コンピュータコードセグメント、ワード、値、シンボル又はこれらのいずれかの組み合わせを含んでもよい。実施例がハードウェア要素及び／又はソフトウェア要素を使用して実装されるか否かを決定することは、所望の計算レート、電力レベル、耐熱性、処理サイクル予算、入力データレート、出力データレート、メモリリソース、データバス速度及び他の設計上又は性能上の制約のような、いずれかの数の要因に従って変化し得る。
【０１０２】
少なくとも１つの実施例の１つ以上の態様は、プロセッサ内の様々なロジックを表す機械読み取り可能媒体上に記憶されたそれぞれの命令により実装されてもよく、これは、機械により読み取られた場合、機械に対してここに記載する技術を実行するようにロジックを作らせる。“IPコア”として知られるこのような表現は、有形の機械読み取り可能媒体上に記憶され、実際にロジック又はプロセッサを作る製造機械にロードされるために、様々な顧客又は製造施設に供給されてもよい。或る実施例は、例えば、機械により実行された場合、機械に対して実施例に従った方法及び／又は動作を実行させ得る命令又は一式の命令を記憶してもよい機械読み取り可能媒体又は物を使用して実装されてもよい。このような機械は、例えば、いずれか適切な処理プラットフォーム、コンピューティングプラットフォーム、コンピューティングデバイス、処理デバイス、コンピューティングシステム、処理システム、コンピュータ、プロセッサ等を含んでもよく、ハードウェア及び／又はソフトウェアのいずれか適切な組み合わせを使用して実装されてもよい。機械読み取り可能な媒体又は物は、例えば、いずれか適切な種類のメモリユニット、メモリデバイス、メモリ物、メモリ媒体、記憶デバイス、記憶物、記憶媒体、及び／又は記憶ユニット、例えば、メモリ、取り外し可能又は取り外し不可能媒体、消去可能又は消去不可能媒体、書き込み可能又は再書き込み可能媒体、デジタル又はアナログ媒体、ハードディスク、フロッピーディスク、CD-ROM（Compact  Disk  Read  Only  Memory）、CD-R（Compact  Disk  Recordable）、CD-RW（Compact  Disk  Rewriteable）、光ディスク、磁気媒体、光磁気媒体、取り外し可能メモリカード又はディスク、様々な種類のDVD（Digital  Versatile  Disk）、テープ、カセット等を含んでもよい。命令は、ソースコード、コンパイル済コード、インタープリタ型コード、実行可能コード、静的コード、動的コード、暗号化コード等のようないずれか適切なコードを含んでもよく、いずれか適切なハイレベル、ローレベル、オブジェクト指向型、ビジュアル、コンパイル済、及び／又はインタープリタ型のプログラミング言語を使用して実装されてもよい。
【０１０３】
以下の第１のセットの例は、更なる実施例に関する。
【０１０４】
例１は、プライマリ無線周波数（RF）チェーンと、セカンダリ受信機チェーンを含むセカンダリRFチェーンと、プライマリRFチェーンを使用した無線データ通信を管理し、セカンダリ受信機チェーンを使用して無線ネットワーク測定を実行するための、少なくとも一部がハードウェアであるロジックとを含むユーザ装置（UE）である。
【０１０５】
例２は、例１の拡張であり、ロジックは、無線ネットワークがキャリアアグリゲーションをサポートしないと決定し、無線ネットワーク測定を実行するようにセカンダリ受信機チェーンを構成する。
【０１０６】
例３は、例１の拡張であり、無線ネットワーク測定は、周波数間測定を含む。
【０１０７】
例４は、例１の拡張であり、無線ネットワーク測定は、無線アクセス技術（RAT）間測定を含む。
【０１０８】
例５は、例１の拡張であり、無線ネットワーク測定は、受信信号強度を決定することを含む。
【０１０９】
例６は、例１の拡張であり、無線ネットワーク測定は、受信信号品質を決定することを含む。
【０１１０】
例７は、例６の拡張であり、無線ネットワーク測定は、受信信号品質の変動を決定することを含む。
【０１１１】
例８は、例１の拡張であり、UEは、キャリアアグリゲーション可能なUEである。
【０１１２】
例９は、例１の拡張であり、プライマリ及びセカンダリRFチェーンは、１つ以上の構成要素を共有する。
【０１１３】
図１０は、例１の拡張であり、ロジックは、測定ギャップ長（MGL）に基づいて無線ネットワーク測定を実行するようにセカンダリ受信機チェーンを構成する。
【０１１４】
例１１は、例１の拡張であり、ロジックは、測定ギャップ繰り返し周期（MGRP）に基づいて無線ネットワーク測定を実行するようにセカンダリ受信機チェーンを構成する。
【０１１５】
例１２は、例１の拡張であり、ロジックは、測定ギャップオフセットに基づいて無線ネットワーク測定を実行するようにセカンダリ受信機チェーンを構成する。
【０１１６】
例１３は、例１の拡張であり、ロジックは、無線ネットワーク測定を実行するようなセカンダリ受信機チェーンの構成に基づいてプライマリRFチェーンの動作を調整する。
【０１１７】
例１４は、例１の拡張であり、セカンダリ受信機チェーンは、帯域通過フィルタ、低雑音増幅器、ミキサ、チューナ、及びアナログ・デジタル変換器のうち少なくとも１つを含む。
【０１１８】
例１５は、請求項１乃至１４のうちいずれか１項に記載のUEとディスプレイとを含むシステムである。
【０１１９】
例１６は、プライマリ無線周波数（RF）チェーンを第１のキャリア周波数に同調させるステップと、第１のRFチェーンを使用してデータ通信を提供するステップと、無線ネットワークがキャリアアグリゲーションを提供しないと決定するステップと、無線ネットワーク測定を実行するようにセカンダリRFチェーンのセカンダリ受信機を構成するステップとを含む方法である。
【０１２０】
例１７は、例１６の拡張であり、キャリアアグリゲーション能力を示すメッセージを生成するステップを更に含む。
【０１２１】
例１８は、例１６の拡張であり、同調させるステップは、プライマリ参照信号の周波数を調整するステップを更に含む。
【０１２２】
図１９は、図１６の拡張であり、データ通信を提供するステップは、プライマリRFチェーンを使用してRF通信を送信及び受信するステップを更に含む。
【０１２３】
例２０は、例１６の拡張であり、測定パラメータを受信するステップを更に含む。
【０１２４】
例２１は、例２０の拡張であり、受信したパラメータを拒否するステップを更に含む。
【０１２５】
例２２は、例２０の拡張であり、構成するステップは、受信した測定パラメータに基づいてセカンダリ受信機チェーンを構成するステップを更に含む。
【０１２６】
例２３は、例２０の拡張であり、測定パラメータを受信するステップは、測定ギャップ長（MGL）を受信するステップを更に含む。
【０１２７】
例２４は、例２０の拡張であり、測定パラメータを受信するステップは、測定ギャップ繰り返し周期（MGRP）を受信するステップを更に含む。
【０１２８】
例２５は、例１６の拡張であり、測定パラメータを受信するステップは、測定ギャップオフセットを受信するステップを更に含む。
【０１２９】
例２６は、例２０の拡張であり、受信した測定パラメータに基づいて測定ギャップを決定するステップを更に含む。
【０１３０】
例２７は、例１６の拡張であり、セカンダリRFチェーンの構成に基づいてプライマリRFチェーンの動作を調整するステップを更に含む。
【０１３１】
例２８は、例１６の拡張であり、周波数間測定を実行するステップを更に含む。
【０１３２】
例２９は、例１６の拡張であり、無線アクセス技術（RAT）間測定を実行するステップを更に含む。
【０１３３】
例３０は、例１６の拡張であり、受信信号強度を決定するステップを更に含む。
【０１３４】
例３１は、例１６の拡張であり、受信信号品質を決定するステップを更に含む。
【０１３５】
例３２は、例３１の拡張であり、受信信号品質の変動を決定するステップを更に含む。
【０１３６】
例３３は、コンピューティングデバイス上で実行されたことに応じて、コンピューティングデバイスに対して請求項１６乃至３２のうちいずれか１項に記載の方法を実行させる一式の命令を含む少なくとも１つの過渡的でないコンピュータ読み取り可能記憶媒体である。
【０１３７】
例３４は、請求項１６乃至３２のうちいずれか１項に記載の方法を実行する手段を含む装置である。
【０１３８】
例３５は、コンピューティングデバイスにおいて実行されたことに応じて、コンピューティングデバイスに対して、プライマリ無線周波数（RF）チェーンを第１のキャリア周波数に同調させ、第１のRFチェーンを使用してデータ通信を提供させ、無線がキャリアアグリゲーションを提供しないと決定させ、無線ネットワーク測定を実行するようにセカンダリRFチェーンのセカンダリ受信機を構成させる一式の命令を含む少なくとも１つの過渡的でないコンピュータ読み取り可能記憶媒体である。
【０１３９】
例３６は、例３５の拡張であり、コンピューティングデバイスにおいて実行されたことに応じて、コンピューティングデバイスに対して、キャリアアグリゲーション能力を示すメッセージを生成させる命令を含む。
【０１４０】
例３７は、例３５の拡張であり、コンピューティングデバイスにおいて実行されたことに応じて、コンピューティングデバイスに対して、プライマリ参照信号の周波数を調整することにより、プライマリRFチェーンに同調させる命令を含む。
【０１４１】
例３８は、例３５の拡張であり、コンピューティングデバイスにおいて実行されたことに応じて、コンピューティングデバイスに対して、プライマリRFチェーンを使用してRF通信を送信及び受信することにより、データ通信を提供させる命令を含む。
【０１４２】
例３９は、例３５の拡張であり、コンピューティングデバイスにおいて実行されたことに応じて、コンピューティングデバイスに対して、測定パラメータを受信させる命令を含む。
【０１４３】
例４０は、例３９の拡張であり、コンピューティングデバイスにおいて実行されたことに応じて、コンピューティングデバイスに対して、受信したパラメータを拒否させる命令を含む。
【０１４４】
例４１は、例３９の拡張であり、コンピューティングデバイスにおいて実行されたことに応じて、コンピューティングデバイスに対して、受信した測定パラメータに基づいてセカンダリ受信機チェーンを構成させる命令を含む。
【０１４５】
例４２は、例３９の拡張であり、受信したパラメータは、測定ギャップ長（MGL）を含む。
【０１４６】
例４３は、例３９の拡張であり、受信したパラメータは、測定ギャップ繰り返し周期（MGRP）を含む。
【０１４７】
例４４は、例３９の拡張であり、受信したパラメータは、測定ギャップオフセットを含む。
【０１４８】
例４５は、例３９の拡張であり、受信したパラメータは、測定ギャップ長（MGL）を含む。
【０１４９】
例４６は、例３９の拡張であり、コンピューティングデバイスにおいて実行されたことに応じて、コンピューティングデバイスに対して、受信した測定パラメータに基づいて測定ギャップを決定させる命令を含む。
【０１５０】
例４７は、例３５の拡張であり、コンピューティングデバイスにおいて実行されたことに応じて、コンピューティングデバイスに対して、セカンダリRFチェーンの構成に基づいてプライマリRFチェーンの動作を調整させる命令を含む。
【０１５１】
例４８は、例３５の拡張であり、コンピューティングデバイスにおいて実行されたことに応じて、コンピューティングデバイスに対して、周波数間測定を実行させる命令を含む。
【０１５２】
例４９は、例３５の拡張であり、コンピューティングデバイスにおいて実行されたことに応じて、コンピューティングデバイスに対して、無線アクセス技術（RAT）間測定を実行させる命令を含む。
【０１５３】
例５０は、例３５の拡張であり、コンピューティングデバイスにおいて実行されたことに応じて、コンピューティングデバイスに対して、受信信号強度を決定させる命令を含む。
【０１５４】
例５１は、例３５の拡張であり、コンピューティングデバイスにおいて実行されたことに応じて、コンピューティングデバイスに対して、受信信号品質を決定させる命令を含む。
【０１５５】
例５２は、例３５の拡張であり、コンピューティングデバイスにおいて実行されたことに応じて、コンピューティングデバイスに対して、受信信号品質の変動を決定させる命令を含む。
【０１５６】
以下の第２のセットの例は、更なる実施例に関する。
【０１５７】
例１は、第１の無線周波数（RF）チェーンを使用して無線ネットワークに接続し、第２のRFチェーンを使用して無線ネットワーク上の測定を実行するための、少なくとも一部がハードウェアであるロジックを含むユーザ装置（UE）である。
【０１５８】
例２は、例１の拡張であり、無線ネットワークは、3GPP無線ネットワークである。
【０１５９】
例３は、例１の拡張であり、第１のRFチェーンは、プライマリセル（Pcell）に接続されることができる。
【０１６０】
例４は、例１の拡張であり、第２のRFチェーンは、セカンダリセル（Scell）に接続されることができる。
【０１６１】
例５は、例１の拡張であり、無線ネットワークとのデータ通信は、第１のRFチェーンにより提供される。
【０１６２】
例６は、例１の拡張であり、第１及び第２のRFチェーンは、１つ以上の構成要素を共有する。
【０１６３】
例７は、例１の拡張であり、第１及び第２のRFチェーンは別個のものである。
【０１６４】
例８は、例１の拡張であり、測定は、周波数間測定を含む。
【０１６５】
例９は、例１の拡張であり、測定は、無線アクセス技術（RAT）間測定を含む。
【０１６６】
例１０は、例１の拡張であり、測定は、測定ギャップ長（MGL）及び測定ギャップ繰り返し周期（MGRP）に基づいて実行される。
【０１６７】
例１１は、例１０の拡張であり、MGLは、MGL=N*5ミリ秒（ms）+1msに等しく、Nは正の整数である。
【０１６８】
例１２は、例１０の拡張であり、MGRPは、MGRP=480ms/Mに等しく、Mは正の整数である。
【０１６９】
例１３は、例１０の拡張であり、MGL及びMGRPは、無線ネットワークにより指定される。
【０１７０】
例１４は、例１０の拡張であり、MGLは、6msに設定され、MGRPは、40msに設定される。
【０１７１】
例１５は、例１４の拡張であり、測定ギャップオフセットは、0〜39の間の整数値に設定される。
【０１７２】
例１６は、例１０の拡張であり、MGLは、6msに設定され、MGRPは、80msに設定される。
【０１７３】
例１７は、例１６の拡張であり、測定ギャップオフセットは、0〜79の間の整数値に設定される。
【０１７４】
例１８は、例１０の拡張であり、MGLは、31msに設定され、MGRPは、120msに設定される。
【０１７５】
例１９は、例１８の拡張であり、2のギャップパターン識別情報（ID）値は、31msに設定されたMGL及び120msに設定されたMGRPに対応する。
【０１７６】
例２０は、例１８の拡張であり、測定ギャップオフセットは、0〜119の間の整数値に設定される。
【０１７７】
例２１は、例１０の拡張であり、MGLは、16msに設定され、MGRPは、120msに設定される。
【０１７８】
例２１は、例１１の拡張であり、3のギャップパターン識別情報（ID）値は、31msに設定されたMGL及び120msに設定されたMGRPに対応する。
【０１７９】
例２２は、例２１の拡張であり、測定ギャップオフセットは、0〜119の間の整数値に設定される。
【０１８０】
例２４は、無線ネットワークに接続するための第１の無線周波数（RF）チェーンと、無線ネットワーク測定を実行するための第２のRFチェーンとを含むユーザ装置である。
【０１８１】
例２５は、例２４の拡張であり、UEは、キャリアアグリゲーション可能なUEである。
【０１８２】
例２６は、例２５の拡張であり、無線ネットワークは、キャリアアグリゲーションを提供しない。
【０１８３】
例２７は、例２４の拡張であり、第１のRFチェーンは、プライマリセル（Pcell）に接続されることができる。
【０１８４】
例２８は、例２４の拡張であり、第２のRFチェーンは、セカンダリセル（Scell）に接続されることができる。
【０１８５】
例２９は、例２８の拡張であり、第２のRFチェーンは、Scellに接続されない。
【０１８６】
例３０は、例２４の拡張であり、無線ネットワークとのデータ通信は、第１のRFチェーンにより提供される。
【０１８７】
例３１は、例２４の拡張であり、第１及び第２のRFチェーンは、１つ以上の構成要素を共有する。
【０１８８】
例３２は、例２４の拡張であり、第１及び第２のRFチェーンは別個のものである。
【０１８９】
例３３は、例２４の拡張であり、測定は、周波数間測定を含む。
【０１９０】
例３４は、例２４の拡張であり、測定は、無線アクセス技術（RAT）間測定を含む。
【０１９１】
例３５は、例２４の拡張であり、測定は、測定ギャップ長（MGL）及び測定ギャップ繰り返し周期（MGRP）に基づいて実行される。
【０１９２】
例３６は、例３５の拡張であり、MGLは、MGL=N*5ミリ秒（ms）+1msに等しく、Nは正の整数である。
【０１９３】
例３７は、例３５の拡張であり、MGRPは、MGRP=480ms/Mに等しく、Mは正の整数である。
【０１９４】
例３８は、例３５の拡張であり、MGL及びMGRPは、無線ネットワークにより指定される。
【０１９５】
例３９は、第１の無線周波数（RF）チェーンを使用して無線ネットワークとのデータ通信を提供するステップと、第２のRFチェーン上で無線ネットワーク測定を実行するステップとを含む方法である。
【０１９６】
例４０は、例３９の拡張であり、第１のRFチェーンを使用して無線ネットワークに接続するステップを更に含む。
【０１９７】
例４１は、例４０の拡張であり、第２のRFチェーンが無線ネットワークに接続することができないと決定するステップを更に含む。
【０１９８】
例４２は、例４１の拡張であり、無線ネットワークがキャリアアグリゲーションを提供しないと決定するステップを更に含む。
【０１９９】
例４３は、例４１の拡張であり、無線ネットワークが接続のためのセカンダリセル（Scell）を提供しないと決定するステップを更に含む。
【０２００】
例４４は、例４３の拡張であり、無線ネットワークがセカンダリキャリアコンポーネントを提供しないと決定するステップを更に含む。
【０２０１】
例４５は、例４３の拡張であり、無線ネットワークがセカンダリキャリアを提供しないと決定するステップを更に含む。
【０２０２】
例４６は、例３９の拡張であり、第２のRFチェーンが未使用であることを無線ネットワークに通知するステップを更に含む。
【０２０３】
例４７は、例３９の拡張であり、第２のRFチェーンが無線ネットワーク測定を実行するためにプロビジョニングされることができることを無線ネットワークに通知するステップを更に含む。
【０２０４】
例４８は、例３９の拡張であり、無線ネットワーク測定のためのパラメータをネゴシエーションするステップを更に含む。
【０２０５】
例４９は、例４８の拡張であり、パラメータをネゴシエーションするステップは、測定ギャップ長（MGL）及び測定ギャップ繰り返し周期（MGRP）を決定するステップを更に含む。
【０２０６】
例５０は、例４９の拡張であり、MGLをMGL=N*5ミリ秒（ms）+1msに等しく設定するステップであり、Nは正の整数であるステップを更に含む。
【０２０７】
例５１は、例４９の拡張であり、MGRPをMGRP=480ms/Mに等しく設定するステップであり、Mは正の整数であるステップを更に含む。
【０２０８】
例５２は、例４９の拡張であり、決定されたMGL及びMGRPに基づいて第１のRFチェーンの動作への妨害を決定するステップを更に含む。
【０２０９】
例５３は、例５２の拡張であり、決定された妨害に基づいて第１のRFチェーンの動作を調整するステップを更に含む。
【０２１０】
例５４は、例３９の拡張であり、周波数間測定を実行するステップを更に含む。
【０２１１】
例５５は、例３９の拡張であり、無線アクセス技術（RAT）間測定を実行するステップを更に含む。
【０２１２】
例４４は、コンピューティングデバイス上で実行されたことに応じて、コンピューティングデバイスに対して請求項３９乃至５５のうちいずれか１項に記載の通信方法を実行させる一式の命令を含む少なくとも１つの過渡的でないコンピュータ読み取り可能記憶媒体である。
【０２１３】
例５７は、請求項３９乃至５５のうちいずれか１項に記載の通信方法を実行する手段を含む装置である。
【０２１４】
例５８は、測定ギャップ長（MGL）及び測定ギャップ繰り返し周期（MGRP）に基づいて第１の無線周波数（RF）チェーンを使用して測定を実行し、測定に基づいて第２のRFチェーンの動作を調整するための、少なくとも一部がハードウェアであるロジックを含むユーザ装置（UE）である。
【０２１５】
例５９は、例５８の拡張であり、測定は、周波数間測定を含む。
【０２１６】
例６０は、例５８の拡張であり、測定は、無線アクセス技術（RAT）間測定を含む。
【０２１７】
例６１は、例５８の拡張であり、MGLは、MGL=N*5ミリ秒（ms）+1msに従って設定され、Nは正の整数である。
【０２１８】
例６２は、例５８の拡張であり、MGRPは、MGRP=480ms/Mに従って設定され、Mは正の整数である。
【０２１９】
例６３は、例５８の拡張であり、ロジックは、MGL及びMGRPに基づいて測定ギャップを決定する。
【０２２０】
例６４は、例６３の拡張であり、測定ギャップは、１つ以上のサブフレームに対応する。
【０２２１】
例６５は、例６４の拡張であり、１つ以上のサブフレームは、MGL内にある。
【０２２２】
例６６は、例６３の拡張であり、ロジックは、第２のRFチェーンが測定ギャップの間に動作することを妨げる。
【０２２３】
例６７は、例６６の拡張であり、ロジックは、第２のRFチェーンが測定ギャップの間に送信及び受信することを妨げる。
【０２２４】
例６８は、例６３の拡張であり、ロジックは、ギャップオフセットに基づいて測定ギャップを更に決定する。
【０２２５】
例６９は、測定ギャップ長（MGL）、測定ギャップ繰り返し周期（MGRP）及びギャップオフセットに基づいて測定ギャップを決定するステップと、第１の無線周波数（RF）チェーンを使用して測定ギャップの間に無線測定を実行するステップと、第２のRFチェーンが測定ギャップの間に送信及び受信することを妨げるステップとを含む方法である。
【０２２６】
例７０は、例６９の拡張であり、測定ギャップは、MGL内の１つ以上のサブフレーム期間に対応する。
【０２２７】
例７１は、例６９の拡張であり、MGLをMGL=N*5ミリ秒（ms）+1msに従って設定するステップであり、Nは正の整数であるステップを更に含む。
【０２２８】
例７２は、例６９の拡張であり、MGRPをMGRP=480ms/Mに従って設定するステップであり、Mは正の整数であるステップを更に含む。
【０２２９】
例７３は、例６９の拡張であり、周波数間測定を実行するステップを更に含む。
【０２３０】
例７４は、例６９の拡張であり、無線アクセス技術（RAT）間測定を実行するステップを更に含む。
【０２３１】
例７５は、コンピューティングデバイス上で実行されたことに応じて、コンピューティングデバイスに対して請求項６９乃至７４のうちいずれか１項に記載の通信方法を実行させる一式の命令を含む少なくとも１つの過渡的でないコンピュータ読み取り可能記憶媒体である。
【０２３２】
例７６は、請求項６９乃至７４のうちいずれか１項に記載の通信方法を実行する手段を含む装置である。
【０２３３】
例７７は、ユーザ装置（UE）が未使用の無線周波数（RF）チェーン上で測定を実行することができるという指示を受信し、測定を実行するためのパラメータを指定するための、少なくとも一部がハードウェアであるロジックを含むeNB（evolved  node  B）である。
【０２３４】
例７８は、例７７の拡張であり、eNBは、データ通信をUEに提供する。
【０２３５】
例７９は、例７７の拡張であり、測定は、周波数間測定を含む。
【０２３６】
例８０は、例７７の拡張であり、測定は、無線アクセス技術（RAT）間測定を含む。
【０２３７】
例８１は、例７７の拡張であり、ロジックは、測定ギャップ長（MGL）及び測定ギャップ繰り返し周期（MGRP）を指定する。
【０２３８】
例８２は、例８１の拡張であり、MGLは、MGL=N*5ミリ秒（ms）+1msに従って指定され、Nは正の整数である。
【０２３９】
例８３は、例８１の拡張であり、MGRPは、MGRP=480ms/Mに従って設定され、Mは正の整数である。
【０２４０】
例８４は、例８１の拡張であり、MGLは、6msに設定され、MGRPは、40msに設定される。
【０２４１】
例８５は、例８４の拡張であり、ロジックは、ギャップオフセットを0〜39の間の整数値になるように指定する。
【０２４２】
例８６は、例８１の拡張であり、MGLは、6msに設定され、MGRPは、80msに設定される。
【０２４３】
例８７は、例８６の拡張であり、ロジックは、ギャップオフセットを0〜79の間の整数値になるように指定する。
【０２４４】
例８８は、例８１の拡張であり、MGLは、31msに設定され、MGRPは、120msに設定される。
【０２４５】
例８９は、例８８の拡張であり、ロジックは、2の対応するギャップパターン識別情報（ID）値を指定することにより、31msに設定されたMGL及び120msに設定されたMGRPを指定する。
【０２４６】
例９０は、例８８の拡張であり、ロジックは、ギャップオフセットを0〜119の間の整数値になるように指定する。
【０２４７】
例９１は、例８１の拡張であり、MGLは、16msに設定され、MGRPは、120msに設定される。
【０２４８】
例９２は、例８９１拡張であり、ロジックは、3の対応するギャップパターン識別情報（ID）値を指定することにより、16msに設定されたMGL及び120msに設定されたMGRPを指定する。
【０２４９】
例９３は、例９２の拡張であり、ロジックは、ギャップオフセットを0〜119の間の整数値になるように指定する。
【０２５０】
例９４は、例８１の拡張であり、ロジックは、指定のパラメータを送信する。
【０２５１】
例９５は、例９４の拡張であり、ロジックは、指定のパラメータが拒否されたという指示を受信した後に、更新された指定のパラメータを送信する。
【０２５２】
例９６は、ユーザ装置（UE）が未使用の無線周波数（RF）チェーン上で測定を実行することができるという指示を受信するステップと、測定を実行するためのパラメータを指定するステップとを含む方法である。
【０２５３】
例９７は、例９６の拡張であり、データ通信をUEに提供するステップを更に含む。
【０２５４】
例９８は、例９６の拡張であり、測定ギャップ長（MGL）及び測定ギャップ繰り返し周期（MGRP）を指定するステップを更に含む。
【０２５５】
例９９は、例９６の拡張であり、指定のパラメータを送信するステップを更に含む。
【０２５６】
例１００は、例９６の拡張であり、指定のパラメータが拒否されたという指示を受信した後に、更新された指定のパラメータを送信するステップを更に含む。
【０２５７】
例１０１は、コンピューティングデバイス上で実行されたことに応じて、コンピューティングデバイスに対して請求項９６乃至１００のうちいずれか１項に記載の通信方法を実行させる一式の命令を含む少なくとも１つの過渡的でないコンピュータ読み取り可能記憶媒体である。
【０２５８】
例１０２は、請求項９６乃至１００のうちいずれか１項に記載の通信方法を実行する手段を含む装置である。
【０２５９】
以下の第３のセットの例は、更なる実施例に関する。
【０２６０】
例１は、プライマリコンポーネントキャリアに従って動作することができる第１の無線周波数（RF）チェーンと、セカンダリコンポーネントキャリアに従って動作することができる第２のRFチェーンと、プライマリコンポーネントキャリア及びセカンダリコンポーネントキャリアを使用したキャリアアグリゲーションが利用可能でないという指示を処理し、無線ネットワーク測定を実行するように第２のRFチェーンの第２の受信機チェーンの動作を管理するための、少なくとも一部がハードウェアであるロジックとを含むユーザ装置（UE）である。
【０２６１】
例２は、例１の拡張であり、無線ネットワークは、3GPP（3rd  Generation  Partnership  Project）無線ネットワークである。
【０２６２】
例３は、例２の拡張であり、プライマリコンポーネントキャリアは、プライマリサービングセル（Pcell）に対応する。
【０２６３】
例４は、例３の拡張であり、セカンダリコンポーネントキャリアは、セカンダリサービングセル（Scell）に対応する。
【０２６４】
例５は、例２の拡張であり、3GPP無線ネットワークは、プライマリコンポーネントキャリア及びセカンダリコンポーネントキャリアを使用したキャリアアグリゲーションをサポートしない。
【０２６５】
例６は、例２の拡張であり、ロジックは、3GPP無線ネットワークから指示を受信する。
【０２６６】
例７は、例２の拡張であり、測定は、周波数間測定及び無線アクセス技術（RAT）間測定のうち１つを含む。
【０２６７】
実施例の完全な理解を提供するために、複数の特定の詳細がここに示されている。しかし、実施例は、これらの特定の詳細なしに実施されてもよいことが当業者により分かる。他の場合にも、周知の動作、構成要素及び回路は、実施例を曖昧にしないように詳細に記載されていない。ここに開示された特定の構造的及び機能的詳細は、代表例になり得るものであり、必ずしも実施例の範囲を限定するものではないことが分かる。
【０２６８】
いくつかの実施例は、“結合”及び“接続”という表現をその派生語と共に使用して記載されることがある。これらの用語は、互いに同義語と意図するものではない。例えば、或る実施例は、２つ以上の要素が互いに直接の物理的又は電気的接触を有することを示すために、“接続”及び／又は“結合”という用語を使用して記載されることがある。しかし、“結合”という用語はまた、２つ以上の要素が互いに直接に接触していないが、依然として互いに協調又は相互作用することを意味することもある。
【０２６９】
特に言及しない限り、“処理”、“計算”、“算出”、“決定”等のような用語は、コンピューティングシステムのレジスタ及び／又はメモリ内の物理量（例えば、電子量）として表されたデータを、コンピューティングシステムのメモリ、レジスタ又は他のこのような情報記憶、伝送若しくは表示デバイス内の物理量として同様に表された他のデータに操作及び／又は変換する、コンピュータ若しくはコンピューティングシステム又は同様の電子コンピューティングデバイスの動作及び／又は処理を示す。実施例は、この点に限定されない。
【０２７０】
ここに記載する方法は、記載の順序又はいずれか特定の順序で実行される必要はない点に留意すべきである。さらに、ここで特定された方法に関して記載する様々な動作は、直列的又は並列的に実行されることができる。さらに、様々な実施例の動作は、論理フローを参照して記載されることがある。ここに提示する図面及び対応する説明は、特定の論理フローを含むことがあるが、論理フローは、単に、どのようにここに記載する一般的な機能が実装され得るかの例を提供するに過ぎない。さらに、特に示されない限り、所与の論理フローは、必ずしも提示された順序で実行される必要はない。更に、所与の論理フローは、ハードウェア要素、プロセッサにより実行されるソフトウェア要素、又はこれらのいずれかの組み合わせにより実装されてもよい。実施例は、この点に限定されない。
【０２７１】
特定の実施例についてここに図示及び記載しているが、同じ目的を達成するように計算されたいずれかの構成は、図示の特定の実施例に置換されてもよいことが認識されるべきである。この開示は、様々な実施例のいずれか且つ全ての適合又は変更をカバーすることを意図する。前述の説明は限定的ではなく例示的に行われていることが認識されるべきである。前述の実施例の組み合わせ、及びここに特に記載しない他の実施例は、前述の説明を検討することで当業者に明らかになる。したがって、様々な実施例の範囲は、前述の構成、構造及び方法が使用される他の用途を含む。
【０２７２】
開示の要約は、読者が技術的開示の本質を迅速に確認することを可能にすることを要約に求める37C.F.R§1.72(b)に従うために提供されていることが強調される。これは、請求項の範囲又は意味を解釈又は限定するために使用されないという理解で提示されている。さらに、前述の詳細な説明において、開示を合理化する目的で、様々な機能が単一の実施例にグループ化されていることが分かる。開示のこの方法は、請求項の実施例が各請求項に明示的に記載されたものより多くの機能を必要とするという意図を反映するものとして解釈されるべきではない。むしろ、以下の請求項が反映するように、本発明の対象物は、単一の開示された実施例の全ての機能未満にある。したがって、以下の請求項は、各請求項が別々の好ましい実施例として自立して、詳細な説明に組み込まれる。添付の特許請求の範囲において、“含む（including）”及び“ここで（in  which）”という用語は、それぞれ“有する（comprising）”及び“ここで（wherein）”という各用語の英語における等価なものとして使用される。さらに、“第１”、“第２”及び“第３”等の用語は、単にラベルとして使用されており、その物に対する数値的な要件を課すことを意図するものではない。
【０２７３】
対象物は、構造的機能及び／又は方法論的動作に特有の言語で記載されているが、添付の特許請求の範囲に規定される対象物は、必ずしも前述の特定の機能又は動作に限定されるものではないことが認識されるべきである。むしろ、前述の特定の機能及び動作は、特許請求の範囲を実装する例示的な形式として開示される。
【図１】
0006400730.tif 000004
【図２Ａ】
0006400730.tif 000005
【図２Ｂ】
0006400730.tif 000006
【図３】
0006400730.tif 000007
【図４】
0006400730.tif 000008
【図５】
0006400730.tif 000009
【図６】
0006400730.tif 000010
【図７】
0006400730.tif 000011
【図８】
0006400730.tif 000012
【図９】
0006400730.tif 000013
【図１０】
0006400730.tif 000014
【図１１】
0006400730.tif 000015